(57)【要約】セミパーシステントサウンディング参照信号（ＳＰ ＳＲＳ）のリソースのアクティブ化又は非アクティブ化のためのシステム及び方法が開示される。いくつかの実施形態において、セルラ通信ネットワークにおける無線デバイスの動作の方法は、メディアアクセス制御（ＭＡＣ）制御エレメント（ＣＥ）をネットワークノードから受信することを含む。当該ＭＡＣ ＣＥは、アクティブ化又は非アクティブ化されるＳＰ ＳＲＳリソースセットのインジケーションと、アクティブ化又は非アクティブ化される前記ＳＰ ＳＲＳリソースセットについての空間的関係を示す情報と、を含む。このように、ＳＰ ＳＲＳリソースセットのアクティブ化又は非アクティブ化のためのＭＡＣ ＣＥは、効率的かつ柔軟な手法で、空間的関係情報をもたらすように提供される。
2021521660.tif 000002
【特許請求の範囲】
【請求項１】
セルラ通信ネットワークにおける無線デバイス（510）の動作の方法であって、
メディアアクセス制御（ＭＡＣ）制御エレメント（ＣＥ）をネットワークノード（560）から受信すること（1402）を含み、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含む、方法。
【請求項２】
請求項１に記載の方法であって、前記空間的関係を示す前記情報は、
前記空間的関係が提供される参照信号のタイプのインジケーションと、
前記空間的関係が提供される参照信号の前記タイプについての参照信号リソースセットの識別子と、を含む、方法。
【請求項３】
請求項２に記載の方法であって、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す、方法。
【請求項４】
請求項２に記載の方法であって、参照信号の前記タイプの前記インジケーションは、参照信号の前記タイプを示す２ビットを含み、
前記２ビットの第１の状態は、参照信号の前記タイプが参照信号の第１のタイプであることを示し、
前記２ビットの第２の状態は、参照信号の前記タイプが参照信号の第２のタイプであることを示し、
前記２ビットの第３の状態は、参照信号の前記タイプが参照信号の第３のタイプであることを示す、方法。
【請求項５】
請求項４に記載の方法であって、参照信号の前記第１のタイプは、チャネル状態情報参照信号（ＣＳＩ−ＲＳ）であり、参照信号の前記第２のタイプは、同期信号ブロック（ＳＳＢ）であり、参照信号の前記第３のタイプは、サウンディング参照信号（ＳＲＳ）である、方法。
【請求項６】
請求項２に記載の方法であって、前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号の前記タイプの前記インジケーション、及び、前記空間的関係が提供される参照信号の前記タイプについての前記参照信号リソースセットの前記識別子を含む第２のオクテットと、を含む、方法。
【請求項７】
請求項６に記載の方法であって、
前記第２のオクテット内の第１のビットが第１の状態に設定されている場合、
前記第１のビットは、前記空間的関係が提供される参照信号の前記タイプの前記インジケーションとして機能し、かつ、前記空間的関係が提供される参照信号の前記タイプは、チャネル状態情報参照信号（ＣＳＩ−ＲＳ）であり、
前記第２のオクテット内の残りのビットは、前記ＣＳＩ−ＲＳについての前記参照信号リソースセットの前記識別子として機能し、
前記第２のオクテット内の前記第１のビットが第２の状態に設定されている場合、
前記第２のオクテット内の第２のビットが第１の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、同期信号ブロック（ＳＳＢ）であり、
前記第２のオクテット内の残りのビットは、前記ＳＳＢについての前記参照信号リソースセットの前記識別子として機能し、
前記第２のオクテット内の前記第２のビットが第２の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、サウンディング参照信号（ＳＲＳ）であり、
前記第２のオクテット内の前記残りのビットのうちの１つを除いた全ては、前記ＳＲＳについての前記参照信号リソースセットの前記識別子として機能する、方法。
【請求項８】
請求項６に記載の方法であって、
前記第２のオクテット内の第１のビットは、当該第１のビットが、前記空間的関係が提供される参照信号の前記タイプの前記インジケーションとして機能し、かつ、前記空間的関係が提供される参照信号の前記タイプが、チャネル状態情報参照信号（ＣＳＩ−ＲＳ）となるように、第１の状態に設定され、
前記第２のオクテット内の残りのビットは、前記ＣＳＩ−ＲＳについての前記参照信号リソースセットの前記識別子として機能する、方法。
【請求項９】
請求項６に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、同期信号ブロック（ＳＳＢ）となるように、第１の状態に設定され、
前記第２のオクテット内の残りのビットは、前記ＳＳＢについての前記参照信号リソースセットの前記識別子として機能する、方法。
【請求項１０】
請求項６に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、サウンディング参照信号（ＳＲＳ）となるように、第２の状態に設定され、
前記第２のオクテット内の残りのビットのうちの１つを除いた全ては、前記ＳＲＳについての前記参照信号リソースセットの前記識別子として機能する、方法。
【請求項１１】
請求項１に記載の方法であって、
前記ＭＡＣ ＣＥのオクテットの第１のビットが第１の状態に設定されている場合、当該オクテットの残りのビットは、フィールドの第１のセットを含み、
前記オクテットの前記第１のビットが第２の状態に設定されており、かつ、当該オクテットの第２のビットが第１の状態に設定されている場合、当該オクテットの残りのビットは、フィールドの第２のセットを含み、
前記オクテットの前記第１のビットが第２の状態に設定されており、かつ、当該オクテットの前記第２のビットが第２の状態に設定されている場合、当該オクテットの残りのビットは、フィールドの第３のセットを含む、方法。
【請求項１２】
請求項１１に記載の方法であって、フィールドの前記第１のセットは、空間的関係が示されるチャネル状態情報参照信号（ＣＳＩ−ＲＳ）リソースセットの識別子を提供するビットを含むフィールドを含む、方法。
【請求項１３】
請求項１１又は１２に記載の方法であって、フィールドの前記第２のセットは、空間的関係が示される同期信号ブロック（ＳＳＢ）リソースセットの識別子を提供するビットを含むフィールドを含む、方法。
【請求項１４】
請求項１１乃至１３のいずれか１項に記載の方法であって、フィールドの前記第３のセットは、空間的関係が示されるサウンディング参照信号（ＳＲＳ）リソースセットの識別子を提供するビットを含むフィールドを含む、方法。
【請求項１５】
請求項１乃至１４のいずれか１項に記載の方法であって、前記インジケーションは、前記セミパーシステントサウンディング参照信号リソースセットをアクティブ化するためのインジケーションであり、前記方法は更に、前記アクティブ化されたセミパーシステントサウンディング参照信号リソースセット上でサウンディング参照信号を送信すること（1404）を含む、方法。
【請求項１６】
セルラ通信ネットワークのための無線デバイス（510）であって、前記無線デバイス（510）は、
メディアアクセス制御（ＭＡＣ）制御エレメント（ＣＥ）をネットワークノード（560）から受信するように構成されており、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含む、無線デバイス。
【請求項１７】
請求項１６に記載の無線デバイス（510）であって、前記無線デバイス（510）は、請求項２乃至１５のいずれか１項に記載の方法を実行するように更に構成される、無線デバイス。
【請求項１８】
セルラ通信ネットワークのための無線デバイス（510）であって、前記無線デバイス（510）は、
無線フロントエンド回路（512）を含むインタフェース（514）と、
前記インタフェース（514）と関連付けられた処理回路（520）と、を備え、前記処理回路（520）は前記無線デバイス（510）に、
メディアアクセス制御（ＭＡＣ）制御エレメント（ＣＥ）をネットワークノード（560）から受信させるように構成されており、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含む、無線デバイス。
【請求項１９】
請求項１８に記載の無線デバイス（510）であって、前記空間的関係を示す前記情報は、
前記空間的関係が提供される参照信号のタイプのインジケーションと、
前記空間的関係が提供される参照信号の前記タイプについての参照信号リソースセットの識別子と、を含む、無線デバイス。
【請求項２０】
請求項１９に記載の無線デバイス（510）であって、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す、無線デバイス。
【請求項２１】
請求項１９に記載の無線デバイス（510）であって、参照信号の前記タイプの前記インジケーションは、参照信号の前記タイプを示す２ビットを含み、
前記２ビットの第１の状態は、参照信号の前記タイプが参照信号の第１のタイプであることを示し、
前記２ビットの第２の状態は、参照信号の前記タイプが参照信号の第２のタイプであることを示し、
前記２ビットの第３の状態は、参照信号の前記タイプが参照信号の第３のタイプであることを示す、無線デバイス。
【請求項２２】
請求項２１に記載の無線デバイス（510）であって、参照信号の前記第１のタイプは、チャネル状態情報参照信号（ＣＳＩ−ＲＳ）であり、参照信号の前記第２のタイプは、同期信号ブロック（ＳＳＢ）であり、参照信号の前記第３のタイプは、サウンディング参照信号（ＳＲＳ）である、無線デバイス。
【請求項２３】
請求項１９に記載の無線デバイス（510）であって、前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号の前記タイプの前記インジケーション、及び、前記空間的関係が提供される参照信号の前記タイプについての前記参照信号リソースセットの前記識別子を含む第２のオクテットと、を含む、無線デバイス。
【請求項２４】
請求項２３に記載の無線デバイス（510）であって、
前記第２のオクテット内の第１のビットが第１の状態に設定されている場合、
前記第１のビットは、前記空間的関係が提供される参照信号の前記タイプの前記インジケーションとして機能し、かつ、前記空間的関係が提供される参照信号の前記タイプは、チャネル状態情報参照信号（ＣＳＩ−ＲＳ）であり、
前記第２のオクテット内の残りのビットは、前記ＣＳＩ−ＲＳについての前記参照信号リソースセットの前記識別子として機能し、
前記第２のオクテット内の前記第１のビットが第２の状態に設定されている場合、
前記第２のオクテット内の第２のビットが第１の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、同期信号ブロック（ＳＳＢ）であり、
前記第２のオクテット内の残りのビットは、前記ＳＳＢについての前記参照信号リソースセットの前記識別子として機能し、
前記第２のオクテット内の前記第２のビットが第２の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、サウンディング参照信号（ＳＲＳ）であり、
前記第２のオクテット内の前記残りのビットのうちの１つを除いた全ては、前記ＳＲＳについての前記参照信号リソースセットの前記識別子として機能する、無線デバイス。
【請求項２５】
請求項２３に記載の無線デバイス（510）であって、
前記第２のオクテット内の第１のビットは、当該第１のビットが、前記空間的関係が提供される参照信号の前記タイプの前記インジケーションとして機能し、かつ、前記空間的関係が提供される参照信号の前記タイプが、チャネル状態情報参照信号（ＣＳＩ−ＲＳ）となるように、第１の状態に設定され、
前記第２のオクテット内の残りのビットは、前記ＣＳＩ−ＲＳについての前記参照信号リソースセットの前記識別子として機能する、無線デバイス。
【請求項２６】
請求項２３に記載の無線デバイス（510）であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、同期信号ブロック（ＳＳＢ）となるように、第１の状態に設定され、
前記第２のオクテット内の残りのビットは、前記ＳＳＢについての前記参照信号リソースセットの前記識別子として機能する、無線デバイス。
【請求項２７】
請求項２３に記載の無線デバイス（510）であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、サウンディング参照信号（ＳＲＳ）となるように、第２の状態に設定され、
前記第２のオクテット内の残りのビットのうちの１つを除いた全ては、前記ＳＲＳについての前記参照信号リソースセットの前記識別子として機能する、無線デバイス。
【請求項２８】
請求項１８に記載の無線デバイス（510）であって、
前記ＭＡＣ ＣＥのオクテットの第１のビットが第１の状態に設定されている場合、当該オクテットの残りのビットは、フィールドの第１のセットを含み、
前記オクテットの前記第１のビットが第２の状態に設定されており、かつ、当該オクテットの第２のビットが第１の状態に設定されている場合、当該オクテットの残りのビットは、フィールドの第２のセットを含み、
前記オクテットの前記第１のビットが第２の状態に設定されており、かつ、当該オクテットの前記第２のビットが第２の状態に設定されている場合、当該オクテットの残りのビットは、フィールドの第３のセットを含む、無線デバイス。
【請求項２９】
請求項２８に記載の無線デバイス（510）であって、フィールドの前記第１のセットは、空間的関係が示されるチャネル状態情報参照信号（ＣＳＩ−ＲＳ）リソースセットの識別子を提供するビットを含むフィールドを含む、無線デバイス。
【請求項３０】
請求項２８又は２９に記載の無線デバイス（510）であって、フィールドの前記第２のセットは、空間的関係が示される同期信号ブロック（ＳＳＢ）リソースセットの識別子を提供するビットを含むフィールドを含む、無線デバイス。
【請求項３１】
請求項２８乃至３０のいずれか１項に記載の無線デバイス（510）であって、フィールドの前記第３のセットは、空間的関係が示されるサウンディング参照信号（ＳＲＳ）リソースセットの識別子を提供するビットを含むフィールドを含む、無線デバイス。
【請求項３２】
請求項１８乃至３１のいずれか１項に記載の無線デバイス（510）であって、前記インジケーションは、前記セミパーシステントサウンディング参照信号リソースセットをアクティブ化するためのインジケーションであり、前記処理回路（520）は前記無線デバイス（510）に更に、前記アクティブ化されたセミパーシステントサウンディング参照信号リソースセット上でサウンディング参照信号を送信させるように構成されている、方法。
【請求項３３】
セルラ通信ネットワークにおけるネットワークノード（560）の動作の方法であって、
メディアアクセス制御（ＭＡＣ）制御エレメント（ＣＥ）を無線デバイス（510）へ送信すること（1400）を含み、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含む、方法。
【請求項３４】
請求項３３に記載の方法であって、前記空間的関係を示す前記情報は、
前記空間的関係が提供される参照信号のタイプのインジケーションと、
前記空間的関係が提供される参照信号の前記タイプについての参照信号リソースセットの識別子と、を含む、方法。
【請求項３５】
請求項３４に記載の方法であって、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す、方法。
【請求項３６】
請求項３４に記載の方法であって、参照信号の前記タイプの前記インジケーションは、参照信号の前記タイプを示す２ビットを含み、
前記２ビットの第１の状態は、参照信号の前記タイプが参照信号の第１のタイプであることを示し、
前記２ビットの第２の状態は、参照信号の前記タイプが参照信号の第２のタイプであることを示し、
前記２ビットの第３の状態は、参照信号の前記タイプが参照信号の第３のタイプであることを示す、方法。
【請求項３７】
請求項３６に記載の方法であって、参照信号の前記第１のタイプは、チャネル状態情報参照信号（ＣＳＩ−ＲＳ）であり、参照信号の前記第２のタイプは、同期信号ブロック（ＳＳＢ）であり、参照信号の前記第３のタイプは、サウンディング参照信号（ＳＲＳ）である、方法。
【請求項３８】
請求項３４に記載の方法であって、前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号の前記タイプの前記インジケーション、及び、前記空間的関係が提供される参照信号の前記タイプについての前記参照信号リソースセットの前記識別子を含む第２のオクテットと、を含む、方法。
【請求項３９】
請求項３８に記載の方法であって、
前記第２のオクテット内の第１のビットが第１の状態に設定されている場合、
前記第１のビットは、前記空間的関係が提供される参照信号の前記タイプの前記インジケーションとして機能し、かつ、前記空間的関係が提供される参照信号の前記タイプは、チャネル状態情報参照信号（ＣＳＩ−ＲＳ）であり、
前記第２のオクテット内の残りのビットは、前記ＣＳＩ−ＲＳについての前記参照信号リソースセットの前記識別子として機能し、
前記第２のオクテット内の前記第１のビットが第２の状態に設定されている場合、
前記第２のオクテット内の第２のビットが第１の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、同期信号ブロック（ＳＳＢ）であり、
前記第２のオクテット内の残りのビットは、前記ＳＳＢについての前記参照信号リソースセットの前記識別子として機能し、
前記第２のオクテット内の前記第２のビットが第２の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、サウンディング参照信号（ＳＲＳ）であり、
前記第２のオクテット内の前記残りのビットのうちの１つを除いた全ては、前記ＳＲＳについての前記参照信号リソースセットの前記識別子として機能する、方法。
【請求項４０】
請求項３８に記載の方法であって、
前記第２のオクテット内の第１のビットは、当該第１のビットが、前記空間的関係が提供される参照信号の前記タイプの前記インジケーションとして機能し、かつ、前記空間的関係が提供される参照信号の前記タイプが、チャネル状態情報参照信号（ＣＳＩ−ＲＳ）となるように、第１の状態に設定され、
前記第２のオクテット内の残りのビットは、前記ＣＳＩ−ＲＳについての前記参照信号リソースセットの前記識別子として機能する、方法。
【請求項４１】
請求項３８に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、同期信号ブロック（ＳＳＢ）となるように、第１の状態に設定され、
前記第２のオクテット内の残りのビットは、前記ＳＳＢについての前記参照信号リソースセットの前記識別子として機能する、方法。
【請求項４２】
請求項３８に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、サウンディング参照信号（ＳＲＳ）となるように、第２の状態に設定され、
前記第２のオクテット内の残りのビットのうちの１つを除いた全ては、前記ＳＲＳについての前記参照信号リソースセットの前記識別子として機能する、方法。
【請求項４３】
請求項３３に記載の方法であって、
前記ＭＡＣ ＣＥのオクテットの第１のビットが第１の状態に設定されている場合、当該オクテットの残りのビットは、フィールドの第１のセットを含み、
前記オクテットの前記第１のビットが第２の状態に設定されており、かつ、当該オクテットの第２のビットが第１の状態に設定されている場合、当該オクテットの残りのビットは、フィールドの第２のセットを含み、
前記オクテットの前記第１のビットが第２の状態に設定されており、かつ、当該オクテットの前記第２のビットが第２の状態に設定されている場合、当該オクテットの残りのビットは、フィールドの第３のセットを含む、方法。
【請求項４４】
請求項４３に記載の方法であって、フィールドの前記第１のセットは、空間的関係が示されるチャネル状態情報参照信号（ＣＳＩ−ＲＳ）リソースセットの識別子を提供するビットを含むフィールドを含む、方法。
【請求項４５】
請求項４３又は４４に記載の方法であって、フィールドの前記第２のセットは、空間的関係が示される同期信号ブロック（ＳＳＢ）リソースセットの識別子を提供するビットを含むフィールドを含む、方法。
【請求項４６】
請求項４３乃至４５のいずれか１項に記載の方法であって、フィールドの前記第３のセットは、空間的関係が示されるサウンディング参照信号（ＳＲＳ）リソースセットの識別子を提供するビットを含むフィールドを含む、方法。
【請求項４７】
セルラ通信ネットワークのためのネットワークノード（560）であって、前記ネットワークノード（560）は、
メディアアクセス制御（ＭＡＣ）制御エレメント（ＣＥ）を無線デバイス（510）へ送信するように構成されており、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含む、ネットワークノード。
【請求項４８】
請求項４７に記載のネットワークノード（560）であって、前記ネットワークノード（560）は、請求項３４乃至４６のいずれか１項に記載の方法を実行するように更に構成される、ネットワークノード。
【請求項４９】
セルラ通信ネットワークのためのネットワークノード（560）であって、前記ネットワークノード（560）は、
インタフェース（590）と、
前記インタフェース（590）と関連付けられた処理回路（570）と、を備え、前記処理回路（570）は前記ネットワークノード（560）に、
メディアアクセス制御（ＭＡＣ）制御エレメント（ＣＥ）を無線デバイス（510）へ送信させるように構成されており、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含む、ネットワークノード。
【発明の詳細な説明】
【技術分野】
【０００１】
関連出願
本出願は２０１８年２月１５日に出願された仮特許出願第６２／６３１，２４３号の利益を主張し、その開示の全体が本明細書により援用される。
【０００２】
本開示は無線通信システムに関し、より具体的には、無線通信システムにおけるサウンディング参照信号（ＳＲＳ）に関する。
【背景技術】
【０００３】
将来の新たなNew Radio（ＮＲ）ネットワークの大部分は時分割複信（ＴＤＤ）のために展開されることが予想される。周波数分割複信（ＦＤＤ）と比較して、ＴＤＤを用いる１つの利点は、ＴＤＤが相反性ベースのビームフォーミングを可能にすることであり、これは、送信‐受信ポイント（ＴＲＰ：Transmit-Receive Point）（即ち、ダウンリンクに対して）及びユーザ装置デバイス（ＵＥ：User Equipment）（即ち、アップリンクに対して）の両方において適用されうる。相反性ベースのダウンリンク送信では、ＵＥは、ＴＲＰが、ＴＲＰとＵＥとの間のチャネルを推定するために使用するサウンディング参照信号（ＳＲＳ：Sounding Reference Signal）を送信することが期待される。その結果、例えば固有ビームフォーミングを使用することで、到来するダウンリンク送信についての最適なプリコーディング重みを見つけるために、ＴＲＰにおいてチャネル推定が使用されることになる。同様に、チャネル状態情報参照信号（ＣＳＩ−ＲＳ：Channel State Information Reference Signal）が、相互性ベースのアップリンク送信のためのサウンディング信号として使用されることが期待される。ＴＲＰは、ＵＥがＳＲＳリソースのアップリンクプリコーディングを決定する際に使用しうるＳＲＳからと同様に、以前に送信されたダウンリンク参照信号（例えば、ＣＳＩ−ＲＳ及び同期信号ブロック（ＳＳＢ））に対する空間的関係の仮定を示しうることが、ＮＲにおいて合意されている。
【０００４】
コードブックベースのアップリンク送信
マルチアンテナ技術は、無線通信システムのデータレート及び信頼性を大幅に向上させうる。送信機と受信機の両方が複数のアンテナを備え、その結果として多入力多出力（ＭＩＭＯ）通信チャネルが生じる場合、性能が特に改善される。このようなシステム及び／又は関連技術は、一般にＭＩＭＯと呼ばれる。
【０００５】
現在、ＮＲ規格が規定中である。ＮＲにおけるコアコンポーネントは、ＭＩＭＯアンテナ展開及びＭＩＭＯ関連技術のサポートである。ＮＲは、チャネル依存プリコーディングで少なくとも４つのアンテナポートを用いて、少なくとも４レイヤの空間多重化のアップリンクＭＩＭＯをサポートすることが期待される。空間多重化モードは、良好なチャネル状態における高いデータレートを目指している。図１では、サイクリックプレフィックス直交周波数分割多重（ＣＰ−ＯＦＤＭ）がアップリンクで使用される場合の空間多重化演算の例が提供されている。
【０００６】
見てわかるように、シンボルベクトルｓを運ぶ情報は、ＮT×rのプリコーダ行列Ｗを乗算され、これは、（ＮT個のアンテナポートに対応する）ＮT次元のベクトル空間の部分空間において送信エネルギーを分散させる働きをする。プリコーダ行列は、典型的には、可能性のあるプリコーダ行列のコードブックから選択されるとともに、典型的には、送信プリコーダ行列インジケータ（ＴＰＭＩ：Transmit Precoder Matrix Indicator）によって示され、当該送信プリコーダ行列インジケータは、所与の個数のシンボルストリームに対してコードブック内の一意のプリコーダ行列を特定する。ｓ内のｒ個のシンボルはそれぞれレイヤに対応し、ｒは送信ランクと呼ばれる。このようにして、同じ時間／周波数リソースエレメント（ＴＦＲＥ：Time/Frequency Resource Element）上で複数のシンボルを同時に送信できるので、空間多重化が達成される。シンボルの数ｒは、典型的には、現在のチャネル特性に適するように適合される。
【０００７】
このため、サブキャリアｎ（又は、代替的にはデータＴＦＲＥ番号ｎ）上の特定のＴＦＲＥについての受信ＮR×１ベクトルｙnは、次のようにモデル化される：
2021521660.tif 000003
ここで、ｅnは、ランダム過程の実現として得られる雑音／干渉ベクトルである。プリコーダＷは、広帯域プリコーダであってもよく、これは周波数にわたって一定であるか、又は周波数選択性であってもよい。しかしながら、広帯域プリコーディングインジケーションが、ＮＲのリリース１５のアップリンクにおいてサポートされる。
【０００８】
プリコーダ行列Ｗは、多くの場合、ＮR×ＮT ＭＩＭＯチャネル行列Ｈnの特性に適合するように、次世代又はＮＲ基地局（ｇＮＢ）と呼ばれるＮＲ基地局によって選択され、これはいわゆるチャネル依存プリコーディングをもたらす。これは、一般に閉ループプリコーディングとも呼ばれ、本質的には送信エネルギーの多くをｇＮＢに運ぶという点で強い部分空間に送信エネルギーを集中させるようにする。更に、プリコーダ行列は、チャネルを直交化するように選択されてもよく、これは、ｇＮＢでの適切な線形等化の後に、レイヤ間干渉が低減されることを意味する。
【０００９】
ｇＮＢがプリコーダ行列Ｗを選択するための１つの例示的な方法は、仮定された等価チャネルのフロベニウスノルムを最大化するＷkを選択することでありうる：
2021521660.tif 000004
ここで、
2021521660.tif 000005
は、ＳＲＳから導出される可能性がある、チャネル推定値であり、
Wkは、インデックスｋを有する仮定されたプリコーダ行列であり、
2021521660.tif 000006
は、仮定された等価チャネルである。
【００１０】
ＮＲアップリンクのための閉ループプリコーディングでは、逆方向リンク（アップリンク）におけるチャネル測定に基づいて、ＴＲＰは、ＵＥが当該ＵＥのアップリンクアンテナで使用すべきＴＰＭＩをＵＥに送信する。ｇＮＢは、ＵＥがチャネル測定を可能にするためにアップリンク送信に使用することを希望するＵＥアンテナの数に従ってＳＲＳを送信するように、ＵＥを設定する。大きな帯域幅をカバーすると想定される単一のプリコーダ（広帯域プリコーディング）がシグナリングされうる。また、チャネルの周波数変動に整合させること、及び、それに代えて、周波数選択性プリコーディング報告（例えば、サブバンド当たり１つの、いくつかのプリコーダ及び／又はいくつかのＴＰＭＩ）をフィードバックすることも有益でありうる。
【００１１】
送信ランクインジケータ（ＴＲＩ：Transmission Rank Indicator）と同様に、ＳＲＳリソースインジケータ（ＳＲＩ：SRS Resource Indicator）のような、ＴＰＭＩ以外の情報が、アップリンクＭＩＭＯ送信状態を決定するために一般に使用される。変調及び符号化状態（ＭＣＳ）、及び物理アップリンク共有チャネル（ＰＵＳＣＨ）が送信されるアップリンクリソースと同様に、これらのパラメータも、ＵＥからのＳＲＳ送信から導出されるチャネル測定値によって決定される。送信ランク、ひいては空間的に多重化されたレイヤの数は、プリコーダＷの列の数に反映される。効率的な性能のためには、チャネル特性に整合する送信ランクが選択されることが重要である。
【００１２】
ＳＲＳ送信設定
どのようにＳＲＳ送信が行われるべきか、例えば、どのＳＲＳリソースを使用すべきか、ＳＲＳリソース当たりのポートの数等は、ＴＲＰからＵＥにシグナリングされる必要がある。これを低いオーバーヘッドの方法で解決する１つの方法は、上位レイヤシグナリング（例えば、無線リソース制御（ＲＲＣ））を使用して「ＳＲＳ送信設定」のセットを事前に定義し、その後、ダウンリンク制御情報（ＤＣＩ）で、ＵＥが適用すべき「ＳＲＳ送信設定」を知らせることである。「ＳＲＳ送信設定」は、例えば、到来するＳＲＳ送信においてＵＥが使用すべきＳＲＳリソース及びＳＲＳポートに関する情報を含んでもよい。
厳密に、どのようにＳＲＳ送信が設定されてＮＲのためにトリガされるかについては、まだ議論中である。
【発明の概要】
【００１３】
セミパーシステント（semi-persistent）サウンディング参照信号のリソースセットのアクティブ化又は非アクティブ化のためのシステム及び方法が開示される。いくつかの実施形態において、セルラ通信ネットワークにおける無線デバイスの動作の方法は、メディアアクセス制御（ＭＡＣ）制御エレメント（ＣＥ）をネットワークノードから受信することを含む。当該ＭＡＣ ＣＥは、アクティブ化又は非アクティブ化されるセミパーシステントサウンディング参照信号リソースセットのインジケーションと、アクティブ化又は非アクティブ化される前記セミパーシステントサウンディング参照信号リソースセットについての空間的関係を示す情報と、を含む。このように、セミパーシステントサウンディング参照信号リソースセットのアクティブ化又は非アクティブ化のためのＭＡＣ ＣＥは、効率的かつ柔軟な手法で、空間的関係情報をもたらすように提供される。
【００１４】
いくつかの実施形態において、前記空間的関係を示す前記情報は、前記空間的関係が提供される参照信号のタイプのインジケーション、及び、前記空間的関係が提供される参照信号の前記タイプについての参照信号リソースセットの識別子を含む第２のオクテットと、を含む。
【００１５】
いくつかの実施形態において、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す。
【００１６】
いくつかの他の実施形態において、参照信号の前記タイプの前記インジケーションは、参照信号の前記タイプを示す２ビットを含み、前記２ビットの第１の状態は、参照信号の前記タイプが参照信号の第１のタイプであることを示し、前記２ビットの第２の状態は、参照信号の前記タイプが参照信号の第２のタイプであることを示し、前記２ビットの第３の状態は、参照信号の前記タイプが参照信号の第３のタイプであることを示す。いくつかの実施形態において、参照信号の前記第１のタイプは、ＣＳＩ−ＲＳであり、参照信号の前記第２のタイプは、ＳＳＢであり、参照信号の前記第３のタイプは、ＳＲＳである。
【００１７】
いくつかの実施形態において、前記ＭＡＣ ＣＥは、アクティブ化又は非アクティブ化される前記セミパーシステントサウンディング参照信号リソースセットの前記インジケーションを含む第１のオクテットと、前記空間的関係が提供される参照信号の前記タイプの前記インジケーション、及び、前記空間的関係が提供される参照信号の前記タイプについての前記参照信号リソースセットの前記識別子を含む第２のオクテットと、を含む。
【００１８】
いくつかの実施形態において、前記第２のオクテット内の第１のビットが第１の状態に設定されている場合、前記第１のビットは、前記空間的関係が提供される参照信号の前記タイプの前記インジケーションとして機能し、かつ、前記空間的関係が提供される参照信号の前記タイプは、ＣＳＩ−ＲＳであり、前記第２のオクテット内の残りのビットは、前記ＣＳＩ−ＲＳについての前記参照信号リソースセットの前記識別子として機能する。前記第２のオクテット内の前記第１のビットが第２の状態に設定されており、前記第２のオクテット内の第２のビットが第１の状態に設定されている場合、前記第１のビット及び前記第２のビットは、前記空間的関係が提供される参照信号の前記タイプの前記インジケーションとして機能し、かつ、前記空間的関係が提供される参照信号の前記タイプは、ＳＳＢであり、前記第２のオクテット内の残りのビットは、前記ＳＳＢについての前記参照信号リソースセットの前記識別子として機能する。前記第２のオクテット内の前記第１のビットが第２の状態に設定されており、前記第２のオクテット内の第２のビットが第２の状態に設定されている場合、前記第１のビット及び前記第２のビットは、前記空間的関係が提供される参照信号の前記タイプの前記インジケーションとして機能し、かつ、前記空間的関係が提供される参照信号の前記タイプは、ＳＲＳであり、前記第２のオクテット内の前記残りのビットのうちの１つを除いた全ては、前記ＳＲＳについての前記参照信号リソースセットの前記識別子として機能する。
【００１９】
いくつかの他の実施形態において、前記第２のオクテット内の第１のビットは、当該第１のビットが、前記空間的関係が提供される参照信号の前記タイプの前記インジケーションとして機能し、かつ、前記空間的関係が提供される参照信号の前記タイプが、ＣＳＩ−ＲＳであり、前記第２のオクテット内の残りのビットが、前記ＣＳＩ−ＲＳについての前記参照信号リソースセットの前記識別子として機能するように、第１の状態に設定される。
【００２０】
いくつかの他の実施形態において、前記第２のオクテット内の第１のビット及び前記第２のオクテット内の第１のビット及び第２のビットが、前記空間的関係が提供される参照信号の前記タイプの前記インジケーションとして機能し、かつ、前記空間的関係が提供される参照信号の前記タイプが、ＳＳＢであり、前記第２のオクテット内の残りのビットが、前記ＳＳＢについての前記参照信号リソースセットの前記識別子として機能するように、前記第１のビットは第２の状態に設定され、前記第２のビットは第１の状態に設定される。
【００２１】
いくつかの他の実施形態において、前記第２のオクテット内の第１のビット及び第２のビットが、前記空間的関係が提供される参照信号の前記タイプの前記インジケーションとして機能し、かつ、前記空間的関係が提供される参照信号の前記タイプが、ＳＲＳであり、前記第２のオクテット内の前記残りのビットのうちの１つを除いた全てが、前記ＳＲＳについての前記参照信号リソースセットの前記識別子として機能するように、前記第１のビットが第２の状態に設定され、前記第２のビットが第２の状態に設定される。
【００２２】
いくつかの実施形態において、前記ＭＡＣ ＣＥのオクテットの第１のビットが第１の状態に設定されている場合、当該オクテットの残りのビットは、フィールドの第１のセットを含み、前記オクテットの前記第１のビットが第２の状態に設定されており、かつ、当該オクテットの第２のビットが第１の状態に設定されている場合、当該オクテットの残りのビットは、フィールドの第２のセットを含み、前記オクテットの前記第１のビットが第２の状態に設定されており、かつ、当該オクテットの前記第２のビットが第２の状態に設定されている場合、当該オクテットの残りのビットは、フィールドの第３のセットを含む。更に、いくつかの実施形態において、フィールドの前記第１のセットは、空間的関係が示されるＣＳＩ−ＲＳリソースセットの識別子を提供するビットを含むフィールドを含む。いくつかの実施形態において、フィールドの前記第２のセットは、空間的関係が示されるＳＳＢリソースセットの識別子を提供するビットを含むフィールドを含む。いくつかの実施形態において、フィールドの前記第３のセットは、空間的関係が示されるＳＲＳリソースセットの識別子を提供するビットを含むフィールドを含む。
【００２３】
いくつかの実施形態において、前記インジケーションは、前記セミパーシステントサウンディング参照信号リソースセットをアクティブ化するためのインジケーションであり、前記方法は更に、前記アクティブ化されたセミパーシステントサウンディング参照信号リソースセット上でサウンディング参照信号を送信することを含む。
【００２４】
無線デバイスの実施形態も開示される。いくつかの実施形態において、セルラ通信ネットワーク内の無線デバイス用のセミパーシステントサウンディング参照信号リソースセットをアクティブ化するための無線デバイスは、ＭＡＣ ＣＥをネットワークノードから受信するように構成されており、ＭＡＣ ＣＥは、アクティブ化又は非アクティブ化されるセミパーシステントサウンディング参照信号リソースセットのインジケーションと、アクティブ化又は非アクティブ化される前記セミパーシステントサウンディング参照信号リソースセットについての空間的関係を示す情報と、を含む。
【００２５】
いくつかの実施形態において、セルラ通信ネットワーク内の無線デバイス用のセミパーシステントサウンディング参照信号リソースセットをアクティブ化するための無線デバイスは、無線フロントエンド回路を含むインタフェースと、前記インタフェースと関連付けられた処理回路と、を備える。前記処理回路は前記無線デバイスに、ＭＡＣ ＣＥをネットワークノードから受信させるように構成されており、ＭＡＣ ＣＥは、アクティブ化又は非アクティブ化されるセミパーシステントサウンディング参照信号リソースセットのインジケーションと、アクティブ化又は非アクティブ化される前記セミパーシステントサウンディング参照信号リソースセットについての空間的関係を示す情報と、を含む。
【００２６】
ネットワークノードの動作の方法の実施形態も開示される。いくつかの実施形態において、セルラ通信ネットワーク内の無線デバイス用のセミパーシステントサウンディング参照信号リソースセットをアクティブ化するための、ネットワークノードの動作の方法は、ＭＡＣ ＣＥを無線デバイスへ送信することを含み、当該ＭＡＣ ＣＥは、アクティブ化又は非アクティブ化されるセミパーシステントサウンディング参照信号リソースセットのインジケーションと、アクティブ化又は非アクティブ化される前記セミパーシステントサウンディング参照信号リソースセットについての空間的関係を示す情報と、を含む。
【００２７】
いくつかの実施形態において、前記空間的関係を示す前記情報は、前記空間的関係が提供される参照信号のタイプのインジケーション、及び、前記空間的関係が提供される参照信号の前記タイプについての参照信号リソースセットの識別子を含む第２のオクテットと、を含む。
【００２８】
いくつかの実施形態において、参照信号の前記タイプの前記インジケーションは、参照信号の前記タイプが、ＣＳＩ−ＲＳ、ＳＳＢ、又はＳＲＳであることを示す。
【００２９】
いくつかの実施形態において、参照信号の前記タイプの前記インジケーションは、参照信号の前記タイプを示す２ビットを含み、前記２ビットの第１の状態は、参照信号の前記タイプが参照信号の第１のタイプであることを示し、前記２ビットの第２の状態は、参照信号の前記タイプが参照信号の第２のタイプであることを示し、前記２ビットの第３の状態は、参照信号の前記タイプが参照信号の第３のタイプであることを示す。いくつかの実施形態において、参照信号の前記第１のタイプは、ＣＳＩ−ＲＳであり、参照信号の前記第２のタイプは、ＳＳＢであり、参照信号の前記第３のタイプは、ＳＲＳである。
【００３０】
いくつかの実施形態において、前記ＭＡＣ ＣＥは、アクティブ化又は非アクティブ化される前記セミパーシステントサウンディング参照信号リソースセットの前記インジケーションを含む第１のオクテットと、前記空間的関係が提供される参照信号の前記タイプの前記インジケーション、及び、前記空間的関係が提供される参照信号の前記タイプについての前記参照信号リソースセットの前記識別子を含む第２のオクテットと、を含む。
【００３１】
いくつかの実施形態において、前記第２のオクテット内の第１のビットが第１の状態に設定されている場合、前記第１のビットは、前記空間的関係が提供される参照信号の前記タイプの前記インジケーションとして機能し、かつ、前記空間的関係が提供される参照信号の前記タイプは、ＣＳＩ−ＲＳであり、前記第２のオクテット内の残りのビットは、前記ＣＳＩ−ＲＳについての前記参照信号リソースセットの前記識別子として機能する。前記第２のオクテット内の前記第１のビットが第２の状態に設定されており、前記第２のオクテット内の第２のビットが第１の状態に設定されている場合、前記第１のビット及び前記第２のビットは、前記空間的関係が提供される参照信号の前記タイプの前記インジケーションとして機能し、かつ、前記空間的関係が提供される参照信号の前記タイプは、ＳＳＢであり、前記第２のオクテット内の残りのビットは、前記ＳＳＢについての前記参照信号リソースセットの前記識別子として機能する。前記第２のオクテット内の前記第１のビットが第２の状態に設定されており、前記第２のオクテット内の第２のビットが第２の状態に設定されている場合、前記第１のビット及び前記第２のビットは、前記空間的関係が提供される参照信号の前記タイプの前記インジケーションとして機能し、かつ、前記空間的関係が提供される参照信号の前記タイプは、ＳＲＳであり、前記第２のオクテット内の前記残りのビットのうちの１つを除いた全ては、前記ＳＲＳについての前記参照信号リソースセットの前記識別子として機能する。
【００３２】
いくつかの実施形態において、前記第２のオクテット内の第１のビットは、当該第１のビットが、前記空間的関係が提供される参照信号の前記タイプの前記インジケーションとして機能し、かつ、前記空間的関係が提供される参照信号の前記タイプが、ＣＳＩ−ＲＳであり、前記第２のオクテット内の残りのビットが、前記ＣＳＩ−ＲＳについての前記参照信号リソースセットの前記識別子として機能するように、第１の状態に設定される。
【００３３】
いくつかの実施形態において、前記第２のオクテット内の第１のビット及び前記第２のオクテット内の第１のビット及び第２のビットが、前記空間的関係が提供される参照信号の前記タイプの前記インジケーションとして機能し、かつ、前記空間的関係が提供される参照信号の前記タイプが、ＳＳＢであり、前記第２のオクテット内の残りのビットが、前記ＳＳＢについての前記参照信号リソースセットの前記識別子として機能するように、前記第１のビットは第２の状態に設定され、前記第２のビットは第１の状態に設定される。
【００３４】
いくつかの実施形態において、前記第２のオクテット内の第１のビット及び第２のビットが、前記空間的関係が提供される参照信号の前記タイプの前記インジケーションとして機能し、かつ、前記空間的関係が提供される参照信号の前記タイプが、ＳＲＳであり、前記第２のオクテット内の前記残りのビットのうちの１つを除いた全てが、前記ＳＲＳについての前記参照信号リソースセットの前記識別子として機能するように、前記第１のビットが第２の状態に設定され、前記第２のビットが第２の状態に設定される。
【００３５】
いくつかの実施形態において、前記ＭＡＣ ＣＥのオクテットの第１のビットが第１の状態に設定されている場合、当該オクテットの残りのビットは、フィールドの第１のセットを含み、前記オクテットの前記第１のビットが第２の状態に設定されており、かつ、当該オクテットの第２のビットが第１の状態に設定されている場合、当該オクテットの残りのビットは、フィールドの第２のセットを含み、前記オクテットの前記第１のビットが第２の状態に設定されており、かつ、当該オクテットの前記第２のビットが第２の状態に設定されている場合、当該オクテットの残りのビットは、フィールドの第３のセットを含む。いくつかの実施形態において、フィールドの前記第１のセットは、空間的関係が示されるＣＳＩ−ＲＳリソースセットの識別子を提供するビットを含むフィールドを含む。いくつかの実施形態において、フィールドの前記第２のセットは、空間的関係が示されるＳＳＢリソースセットの識別子を提供するビットを含むフィールドを含む。いくつかの実施形態において、フィールドの前記第３のセットは、空間的関係が示されるＳＲＳリソースセットの識別子を提供するビットを含むフィールドを含む。
【００３６】
ネットワークノードの実施形態も開示される。いくつかの実施形態において、セルラ通信ネットワーク内の無線デバイス用のセミパーシステントサウンディング参照信号リソースセットをアクティブ化するためのネットワークノードは、ＭＡＣ ＣＥを無線デバイスへ送信するように構成されており、当該ＭＡＣ ＣＥは、アクティブ化又は非アクティブ化されるセミパーシステントサウンディング参照信号リソースセットのインジケーションと、アクティブ化又は非アクティブ化される前記セミパーシステントサウンディング参照信号リソースセットについての空間的関係を示す情報と、を含む。
【００３７】
いくつかの実施形態において、セルラ通信ネットワーク内の無線デバイス用のセミパーシステントサウンディング参照信号リソースセットをアクティブ化するためのネットワークノードは、インタフェースと、前記インタフェースと関連付けられた処理回路と、を備える。前記処理回路は前記ネットワークノードに、ＭＡＣ ＣＥを無線デバイスへ送信させるように構成されており、ＭＡＣ ＣＥは、アクティブ化又は非アクティブ化されるセミパーシステントサウンディング参照信号リソースセットのインジケーションと、アクティブ化又は非アクティブ化される前記セミパーシステントサウンディング参照信号リソースセットについての空間的関係を示す情報と、を含む。
【図面の簡単な説明】
【００３８】
本明細書に組み込まれ、その一部を形成する添付図面は、本開示のいくつかの態様を示し、説明とともに本開示の原理を説明するのに役立つ。
【００３９】
【図１】図１は、空間多重化演算の例である。
【００４０】
【図２】図２は、ビームフォーミングされたチャネル状態情報参照信号（ＣＳＩ−ＲＳ）の例である。
【００４１】
【図３】図３は、本開示の第１の実施形態に係るメディアアクセス制御（ＭＡＣ）制御エレメント（ＣＥ）を示す。
【００４２】
【図４】図４は、本開示の第２の実施形態に係るＭＡＣ ＣＥを示す。
【００４３】
【図５】図５は、本開示の実施形態が実装されうる無線ネットワークの例を示す。
【００４４】
【図６】図６は、本開示の実施形態が実装されうるユーザ装置デバイス（ＵＥ）の一例を示す。
【００４５】
【図７】図７は、本開示のいくつかの実施形態によって実装される機能が仮想化されうる仮想化環境を示す概略的なブロック図である。
【００４６】
【図８】図８は、本開示の実施形態が実装されうる例示的な通信システムを示す。
【００４７】
【図９】図９は、図８のＵＥ、基地局、及びホストコンピュータの実装例を示す。
【００４８】
【図１０】、
【図１１】、
【図１２】、
【図１３】図１０〜図１３は、図８及び図９のような通信システムにおいて実行される方法を示すフローチャートである。
【００４９】
【図１４】図１４は、本開示のいくつかの実施形態に係るネットワークノード及び無線デバイスの動作の方法を示す。
【００５０】
【図１５】図１５は、本開示のいくつかの実施形態に係る無線デバイス内の装置の概略的なブロック図を示す。
【発明を実施するための形態】
【００５１】
以下に記載される実施形態は、当業者が実施形態を実施することを可能にするとともに、実施形態を実施する最良の形態を示すための情報を表す。添付図面に照らして以下の説明を読むと、当業者であれば本開示の概念を理解し、本明細書で特に対処されていないこれらの概念の適用を認識するであろう。これらの概念及び適用は、本開示の範囲内にあることを理解されたい。
【００５２】
無線ノード：本明細書で使用されるように、「無線ノード」は無線アクセスノード又は無線デバイスのいずれかである。
【００５３】
無線アクセスノード：本明細書で使用されるように、「無線アクセスノード」又は「無線ネットワークノード」は、信号を無線で送信及び／又は受信するように動作するセルラ通信ネットワークの無線アクセスネットワーク内の任意のノードである。無線アクセスノードのいくつかの例には、基地局（例えば、第３世代パートナシッププロジェクト（３ＧＰＰ）の第５世代（５Ｇ）ＮＲネットワークにおける次世代又はNew Radio（ＮＲ）基地局（ｇＮＢ）、又は３ＧＰＰロングタームエボリューション（ＬＴＥ）ネットワークにおける拡張又は進化型ノードＢ（ｅＮＢ）、高電力又はマクロ基地局、低電力基地局（例えば、マイクロ基地局、ピコ基地局、ホームｅＮＢ等）、及びリレーノードが含まれるが、これらに限定されない。
【００５４】
コアネットワークノード：本明細書で使用されるように、「コアネットワークノード」は、コアネットワーク内の任意のタイプのノードである。コアネットワークノードのいくつかの例には、例えば、モビリティ管理エンティティ（ＭＭＥ：Mobility Management Entity）、パケットデータネットワークゲートウェイ（Ｐ−ＧＷ：Packet Data Network Gateway）、サービス能力エクスポージャ機能（ＳＣＥＦ：Service Capability Exposure Function）等が挙げられる。
【００５５】
無線デバイス：本明細書で使用されるように、「無線デバイス」は、（１つ以上の）無線アクセスノードへの信号を無線で送信及び／又は受信することによって、セルラ通信ネットワークにアクセスする（即ち、セルラ通信ネットワークによってサービスが行われる）任意のタイプのデバイスである。無線デバイスのいくつかの例には、３ＧＰＰネットワーク内のユーザ装置（ＵＥ）及びマシンタイプ通信（ＭＴＣ）デバイスが含まれるが、これらに限定されない。
【００５６】
ネットワークノード： 本明細書で使用されるように、「ネットワークノード」は、無線アクセスネットワークの一部であるか又はセルラ通信ネットワーク／システムのコアネットワークの一部である、任意のノードである。
【００５７】
本明細書で与えられる説明は、３ＧＰＰセルラ通信システムに焦点を当てており、したがって、３ＧＰＰの用語又は３ＧＰＰの用語に類似する用語がしばしば使用されていることに留意されたい。しかしながら、本明細書で開示される概念は、３ＧＰＰシステムに限定されない。
【００５８】
本明細書の説明では、「セル」という用語を参照しうるが、特に、５Ｇ ＮＲの概念に関しては、セルの代わりにビームを使用が使用されうるため、本明細書で説明される概念がセル及びビームの両方に等しく適用可能であることに留意することが重要であることに留意されたい。
【００５９】
上述のように、どのようにＳＲＳ送信が設定されてＮＲのためにトリガされるかについては、まさにまだ議論中である。ＳＲＳ関連パラメータを定義する第３世代パートナーシッププロジェクト（３ＧＰＰ）技術仕様（ＴＳ）３８．３３１に対するテキスト提案を以下に示す。
----------
2.1.1.1  SRS-Config
SRS-Config IEは、サウンディング参照信号送信を設定するために使用される。当該設定は、SRS-ResourceのリストとSRS-ResourceSetのリストとを定める。各リソースセットは、SRS-Resourceのセットを定める。ネットワークは、（物理レイヤのダウンリンク制御情報、'L1 DCI'で運ばれる）設定されたaperiodicSRS-ResourceTriggerを使用して、SRS-Resourceのセットの送信をトリガする。
2021521660.tif 000007
----------
【００６０】
このように、「ＳＲＳ送信設定」のＲＲＣ設定は、情報エレメント（ＩＥ）SRS-Configを用いて行われ、当該ＩＥは、ＳＲＳリソース（SRS-Resource）のリストを含み（当該リストはリソースの「プール」を構成する）、各ＳＲＳリソースは、時間‐周波数グリッド上の参照信号の物理マッピングの情報、時間領域情報、シーケンス識別子（ＩＤ）等を含む。SRS-Configには、ＳＲＳリソースセットのリストも含まれおり、当該リストには、ＳＲＳ リソースのリスト及び関連するＤＣＩトリガ状態が含まれている。このため、あるＤＣＩ状態がトリガされると、それは、関連するセット内のＳＲＳリソースがＵＥによって送信されるべきであることを示す。
【００６１】
ＮＲでは、以下の３つのタイプのＳＲＳ送信がサポートされる：
●周期的ＳＲＳ（Ｐ ＳＲＳ）：ＳＲＳは、あるスロットにおいて周期的に送信される。このＳＲＳ送信は、ＳＲＳリソース、周期、及びスロットオフセット等のパラメータを使用して、ＲＲＣによって準静的に設定される。
●非周期的ＳＲＳ（ＡＰ ＳＲＳ）：これは、任意のスロットで起こりうるワンショットＳＲＳ送信である。ここで、ワンショットとは、トリガごとに１回だけＳＲＳ送信が行われることを意味する。ＡＰ ＳＲＳのためのＳＲＳリソース（即ち、サブキャリア位置と直交周波数分割多重（ＯＦＤＭ）シンボル位置とから成るリソースエレメント位置）は、準静的に設定される。ＡＰ ＳＲＳの送信は、物理ダウンリンク制御チャネル（ＰＤＣＣＨ）を通じた動的シグナリングによってトリガされる。複数のＡＰ ＳＲＳリソースが１つのＳＲＳリソースセットにグループ化されてもよく、設定されたレベルでトリガが行われる。
●セミパーシステント（ＳＲＳ（ＳＰ ＳＲＳ）：Ｐ ＳＲＳと同様に、ＳＰ ＳＲＳ送信のためのリソースは、周期及びスロットオフセット等のパラメータを用いて準静的に設定される。しかしながら、Ｐ ＳＲＳとは異なり、ＳＲＳ送信のアクティブ化及び場合によっては非アクティブ化のために、動的なシグナリングが必要とされる。
【００６２】
ＳＰ ＳＲＳの場合、ｇＮＢは、最初にＳＰ ＳＲＳリソースをＵＥに設定する。次に、ＳＰ ＳＲＳリソースセットが、メディアアクセス制御（ＭＡＣ）制御エレメント（ＣＥ）を介してアクティブ化される。
【００６３】
ＮＲは、ＳＲＳリソースのための空間的関係のインジケーションをサポートしており、当該空間的関係は、ダウンリンク参照信号（ＲＳ）（ＳＳＢ又はＣＳＩ−ＲＳ）に対するもの、又はＵＥが以前に送信したＳＲＳによるもののいずれかでありうる。空間的関係は、主に、ＳＲＳをプリコーディングするためにＵＥがどのアップリンク送信ビームを使用しうるかを知らせるために使用され、即ち、それはアップリンクビームのインジケーションの一形態である。ＵＥがビーム対応が可能である場合、アップリンクビームは、ダウンリンクビーム管理手順から導出されてもよく、ダウンリンクＲＳとの空間的関係が知らされてもよく、その上で、ＵＥは、ダウンリンクＲＳを受信した際の受信ビームをどのように設定するかとは逆の方向にＳＲＳを送信してもよい。あるいは、アップリンクビーム管理手順が使用されてもよく、その場合、ＵＥは、ＳＲＳビームスイープを送信し、ｇＮＢは、ＳＲＳリソースとの空間的関係を知らせるために以前に送信されたＳＲＳリソース内のスイープされたビームのうちの１つを逆に参照する。以下の表は、種々の時間領域動作について、ターゲットＳＲＳリソースとの空間的関係がどのように知らされるかをまとめたものである。
2021521660.tif 000008
【００６４】
ＣＳＩ−ＲＳのＭＡＣ ＣＥのアクティブ化は、ロングタームエボリューション（ＬＴＥ）で提供されている。ＬＴＥにおける、リリース１３のフルディメンションＭＩＭＯ（ＦＤ−ＭＩＭＯ：Full Dimension MIMO）の仕様は、ビームフォーミングされたＣＳＩ−ＲＳに対して、クラスＢと呼ばれる拡張ＣＳＩ−ＲＳ報告をサポートしている。ここで、LTE RRC_CONNECTEDのＵＥには、各ビームが１、２、４又は８個のＣＳＩ−ＲＳポートから成りうる、Ｋ個のビーム（ここで、１＜Ｋ≦８）が設定されうる。ＣＳＩフィードバック目的（プリコーダ行列インジケータ（ＰＭＩ）、ランクインジケータ（ＲＩ）、及びチャネル品質情報（ＣＱＩ））のために、ＣＳＩ−ＲＳごとのＣＳＩ−ＲＳリソースインジケータがある。ＣＳＩの一部として、ＵＥは、ＣＳＩ−ＲＳインデックス（ＣＲＩ）を、ＣＲＩが広帯域である好ましいビームを知らせるために報告する。ＲＩ／ＣＱＩ／ＰＭＩのような他のＣＳＩコンポーネントは、レガシーコードブック（即ち、リリース１２）に基づいており、ＣＲＩ報告の周期は、ＲＩ報告周期の整数倍である。図２において、ビームフォーミングされたＣＳＩ−ＲＳの例が与えられている。図２では、ＵＥはＣＲＩ＝２を報告しており、これは「ビームフォーミングされたＣＳＩ−ＲＳ ２」を用いて計算されたＲＩ／ＣＱＩ／ＰＭＩに相当する。
【００６５】
リリース１４の拡張ＦＤ−ＭＩＭＯ（ｅＦＤ−ＭＩＭＯ）のために、２つの異なるサブフレーバ（sub-flavor）を有する、ビームフォーミングされた非周期的ＣＳＩ−ＲＳが導入された。２つのサブフレーバは、非周期的ＣＳＩ−ＲＳ及びセミパーシステントＣＳＩ−ＲＳである。いずれのフレーバでも、リリース１３のように、ＣＳＩ−ＲＳリソースがＵＥ用に設定され、Ｋ個のＣＳＩ−ＲＳリソース（Ｎ≦Ｋ）のうちのＮ個についてのＭＡＣ ＣＥのアクティブ化が規定されている。代替的には、Ｋ個のＣＳＩ−ＲＳリソースが非周期的ＣＳＩ−ＲＳ又はセミパーシステントＣＳＩ−ＲＳに設定された後、ＵＥは、Ｋ個のＣＳＩ−ＲＳリソースのうちのＮ個についてのＭＡＣ ＣＥのアクティブ化を待つ。非周期的ＣＳＩ−ＲＳの場合、ＭＡＣ ＣＥのアクティブ化に加えて、アクティブ化されたＣＳＩ−ＲＳリソースのうちの１つが、ＣＳＩ計算及び後続の報告のためにＵＥによって選択されるように、ＤＣＩトリガがＵＥへ送信される。セミパーシステントＣＳＩ−ＲＳの場合、いったんＣＳＩ−ＲＳリソースがＭＡＣ ＣＥによってアクティブ化されると、ＵＥは、ＣＳＩ計算及び報告のためにアクティブ化されたＣＳＩ−ＲＳリソースを使用しうる。
【００６６】
ＭＡＣ ＣＥのアクティブ化／非アクティブ化コマンドは、ＴＳ ３６．３２１の５．１９節に規定されており、以下に仕様のテキストを再現する：
----------
ネットワークは、6.1.3.14節に記載されているCSI-RSリソースMAC制御エレメントのアクティブ化／非アクティブ化（Activation/Deactivation）を送信することにより、サービングセルの、設定されたCSI-RSリソースをアクティブ化及び非アクティブ化しうる。設定されたCSI-RSリソースは、設定時及びハンドオーバ後に、最初に非アクティブ化される。
----------
【００６７】
ＴＳ ３６．３２１の上記の６．１．３．１４節を以下に再現する：
----------
CSI-RSリソースMAC制御エレメントのアクティブ化／非アクティブ化は、表6.2.1−1で規定されているLCIDを有するMAC PDUサブヘッダによって識別される。これは、設定されたCSIプロセスの数（N）として可変サイズを有し、図6.1.3.14−1に定められている。CSI-RSコマンドのアクティブ化／非アクティブ化は、図6.1.3.14−2 に定められており、CSIプロセスのCSI-RSリソースをアクティブ化又は非アクティブ化する。CSI-RSリソースMAC制御エレメントのアクティブ化／非アクティブ化は、サービングセルに適用され、当該サービングセル上でUEがCSI-RSリソースMAC制御エレメントのアクティブ化／非アクティブ化を受信する。
CSI-RSリソースMAC制御エレメントのアクティブ化／非アクティブ化は、以下のように定められる：
‐Ri： このフィールドは、CSI-RSプロセスについてのCSI-RS-ConfigNZPId iに関連付けられたCSI-RSリソースのアクティブ化／非アクティブ化状態を示す。Riフィールドは、CSI-RSプロセスのCSI-RS-ConfigNZPId iに関連付けられたCSI-RSリソースがアクティブ化されることを示すために、「1」に設定される。Riフィールドは、CSI-RS-ConfigNZPId iが非アクティブ化されることを示すために、「0」に設定される。
2021521660.tif 000009
----------
【００６８】
ＭＡＣアクティブ化は、ＵＥがＣＳＩフィードバックのためにサポートすることが可能なＣＳＩ−ＲＳリソースの最大数よりも多くのＣＳＩ−ＲＳリソースをＵＥに設定することを可能にするために、ＬＴＥにおいて導入された。その結果、ＭＡＣ ＣＥは、ＣＳＩフィードバックのためにＵＥによってサポートされるＣＳＩ−ＲＳリソースの最大数まで選択的にアクティブ化する。ＣＳＩ−ＲＳのＭＡＣ ＣＥアクティブ化の利点は、ネットワークが、ＲＲＣによる再設定を必要とせずに、ＵＥ用に設定されたＫ個のリソースのうちで、Ｎ個のＣＳＩ−ＲＳリソースから成る別のセットをアクティブ化しうることである。
【００６９】
現在、ある課題が存在する。具体的には、メディアアクセス制御（ＭＡＣ）制御エレメント（ＣＥ）サウンディング参照信号（ＳＲＳ）セットのアクティブ化は、ＮＲでは規定されていないものの、要求条件は、ダウンリンク参照信号（ＲＳ）及びアップリンク参照信号（ＲＳ）の両方との空間的関係情報が伝達される必要があることである。
【００７０】
本開示及びそれらの実施形態のある態様は、これら又は他の課題に対するソリューションを提供しうる。本明細書では、例えば、ＭＡＣ ＣＥオクテットを満たすために様々なサイズを有するリソース識別子（ＩＤ）とともに１〜２ビットのフォーマットフィールドを使用して、ＭＡＣ ＣＥ内の（１つ以上の）セミパーシステントＳＲＳ（ＳＰ ＳＲＳ）リソースについての空間的関係を効率的に知らせるための、システム及び方法が開示される。いくつかの実施形態では、３つのタイプの識別子があるため、フォーマットフィールドは、共通の２ビットの代わりに、１〜２ビットの範囲である。これにより、フォーマットフィールドと識別子とを１オクテットに収めることができる。
【００７１】
特定の実施形態は、以下の技術的利点のうちの１つ以上を提供しうる。ＳＲＳリソースセットのアクティブ化のためのＭＡＣ ＣＥは、本明細書で提示される、開示されるフォーマットインジケータに起因して効率的かつ柔軟な方法でリソースセット内のリソースごとに疑似コロケーション（ＱＣＬ：Quasi Co-Location）情報を与える方法で提供される。
【００７２】
２つの例示的な実施形態を以下で説明する。これらの実施形態の違いは、フォーマット（Ｆ）フィールドのサイズがどのように得られるかにある。ＭＡＣ ＣＥの受信機における仕組みは同じである。第１の実施形態では、Ｆフィールドのサイズを１ビットとして説明する。第２の実施形態では、Ｆフィールドのサイズは２ビットである。これらの例示的な実施形態は例にすぎないことに留意されたい。本開示を読めば当業者には明らかなように、他の変形を使用することも可能である。
【００７３】
第１の実施形態において、ＳＰ ＳＲＳのアクティブ化又は非アクティブ化（本明細書ではアクティブ化／非アクティブ化と表記される）は、以下で説明するようにＭＡＣ ＣＥを介して提供される。説明したように、ＭＡＣ ＣＥは更に、アクティブ化／非アクティブ化ＳＰ ＳＲＳリソースについての空間的関係のインジケーションを提供する。ＳＰ ＳＲＳ「リソース」との用語が本明細書で使用されることがあるが、少なくともいくつかの実施形態においてＳＰ ＳＲＳリソースはＳＰ ＳＲＳ「リソースセット」でありうることを理解されたい。図３には第１の実施形態に係るＭＡＣ ＣＥの設計を示している。
【００７４】
このＭＡＣ ＣＥは固定サイズであり、以下のフィールドを有する：
●Ａ：ＭＡＣ ＣＥが、アクティブ化（Activation）用（「１」に設定される）であるか、非アクティブ化（Deactivation）用（「０」に設定される）であるかを示す。当該フィールドのサイズは１ビットである。Ａフィールドは、本明細書において「アクティブ化（activation）」フィールド又は「アクティブ化／非アクティブ化（activation/deactivation）」フィールドとも称される。
●Ｃ：ＭＡＣ ＣＥが、通常のアップリンクキャリア用（「１」に設定される）であるか、補助的なアップリンクキャリア用（「０」に設定される）であるかを示す。当該フィールドのサイズは１ビットである。Ｃフィールドは、本明細書において「キャリア」フィールドとも称される。
●Ｆ：ＩＤフィールド内にいずれのＩＤが存在するかを示す。このフィールドが「１」に設定されている場合、ＩＤフィールドは、７ビットのＣＳＩ−ＲＳリソースＩＤを含む。このフィールドが「０」に設定されている場合、ＩＤフィールドの１番目のビットが「１」であるときには、ＩＤフィールドの残りの６ビットは、６ビットの同期信号ブロック（ＳＳＢ：Synchronization Signal Block）ＩＤを含む。このフィールドが「０」に設定されている場合、ＩＤフィールドの１番目のビットが「０」であるときには、ＩＤフィールドの残りの６ビットは、１ビットの予約ビットと５ビットのＳＲＳリソースＩＤとを含む。このフィールドのサイズは１ビットである。Ｆフィールドは、本明細書において「フォーマット」フィールドとも称される。
●ＩＤ：このフィールドは、Ｆフィールドによって示されるＩＤを伝達する。Ａフィールドが「０」に設定されている場合、ＭＡＣエンティティはこのフィールドを無視しなければならない。当該フィールドのサイズは７ビットである。
【００７５】
第１の実施形態の代替案では、Ｆフィールドが「０」に設定されている場合、ＩＤフィールドは７ビットのＣＳＩ−ＲＳリソースＩＤを含み、Ｆフィールドが「１」に設定されている場合、ＩＤフィールドの１番目のビットが「０」であれば、ＩＤフィールドの残りの６ビットは６ビットのＳＳＢ ＩＤを含むように、ビットの意味が切り替えられ、以下同様である。
【００７６】
第２の実施形態において、ＳＰ ＳＲＳのアクティブ化／非アクティブ化は、以下で説明するようにＭＡＣ ＣＥを介して提供される。説明したように、ＭＡＣ ＣＥは更に、アクティブ化／非アクティブ化ＳＰ ＳＲＳリソースについての空間的関係のインジケーションを提供する。図４には第２の実施形態のＭＡＣ ＣＥの設計を示している。
【００７７】
このＭＡＣ ＣＥは固定サイズであり、以下のフィールドを有する：
●Ａ：ＭＡＣ ＣＥが、アクティブ化（Activation）用（「１」に設定される）であるか、非アクティブ化（Deactivation）用（「０」に設定される）であるかを示す。当該フィールドのサイズは１ビットである。Ａフィールドは、本明細書において「アクティブ化（activation）」フィールド又は「アクティブ化／非アクティブ化（activation/deactivation）」フィールドとも称される。
●Ｃ：ＭＡＣ ＣＥが、通常のアップリンクキャリア用（「１」に設定される）であるか、補助的なアップリンクキャリア用（「０」に設定される）であるかを示す。当該フィールドのサイズは１ビットである。Ｃフィールドは、本明細書において「キャリア」フィールドとも称される。
●Ｆ：ＩＤフィールド内にいずれのＩＤが存在するかを示す。このフィールドの１番目のビットが「１」に設定されている場合、ＩＤフィールドは、ＣＳＩ−ＲＳリソースＩＤの７ビットのうちの６ビットを含む。このフィールドの２番目のビットと共に、完全な７ビットのＣＳＩ−ＲＳリソースＩＤが構成されうる。このフィールドが「０１」に設定されている場合、ＩＤフィールドは、ＳＳＢ ＩＤを含む。このフィールドが「００」に設定されている場合、ＩＤフィールドは、１ビットのＲビット及び５ビットのＳＲＳリソースＩＤを含む。当該フィールドのサイズは２ビットである。Ｆフィールドは、本明細書において「フォーマット」フィールドとも称される。
●ＩＤ：このフィールドは、Ｆフィールドによって示されるＩＤを伝達する。Ａフィールドが「０」に設定されている場合、ＭＡＣエンティティはこのフィールドを無視しなければならない。当該フィールドのサイズは７ビットである。
【００７８】
両方の選択肢の共通部分
第１の実施形態及び第２の実施形態の両方は、以下の共通の態様を含む。例えば、フォーマットフィールドは、リソースＩＤと共に８ビットに収まる。これは以下のように構成される。ＭＡＣ ＣＥオクテットは８ビットを有し、以下のいずれかが送信される：
●ＳＳＢ ＩＤ（ＩＤのサイズ≦６ビット）
●ＳＲＳリソースＩＤ（ＩＤのサイズ≦５ビット）
●チャネル状態情報ＲＳ（ＣＳＩ−ＲＳ）リソースＩＤ（ＩＤのサイズ≦７ビット）
【００７９】
共通のソリューションは、以下のフィールドがいずれのタイプを有するか（即ち、上記のうちのいずれの１つがシグナリングされるか）を示すために、４つのコードポイントを有する２ビットのフォーマットフィールドを有することである。ただし、２＋７＝９ビットになる。本開示の実施形態は、フォーマットインジケータ及びリソースＩＤの両方を、ＭＡＣ ＣＥの８ビットオクテットに収めることを可能にする。例：
オクテット全体（Ｆ＋ＩＤ）について：
１番目のビットが１に設定されている場合：
残りの７ビットはＣＳＩ−ＲＳリソースＩＤである。
そうではなく、１番目のビット（Ｆフィールド）が０に設定されている場合：
２番目のビット（ＩＤフィールドの１番目のビット）が１に設定されているとき：
残りの６ビットはＳＳＢ ＩＤである。
２番目のビット（ＩＤフィールドの１番目のビット）が０に設定されているとき：
１ビットの予約ビットが存在し、残りの５ビットはＳＲＳリソースＩＤである。
【００８０】
本明細書で説明される主題は任意の好適なコンポーネントを使用して任意の適切な種類のシステムで実装されうるが、本明細書で開示される実施形態は、図５に示される例示的な無線ネットワーク等の無線ネットワークに関連して説明される。簡単化のため、図５の無線ネットワークは、ネットワーク５０６、ネットワークノード５６０及び５６０ｂ、並びに無線デバイス（ＷＤ）５１０、５１０ｂ及び５１０ｃのみを示す。実際には、無線ネットワークは、無線デバイス間の通信、又は無線デバイスと他の通信デバイス（例えば、固定電話、サービスプロバイダ、又は他の任意のネットワークノード又はエンドデバイス）との間の通信をサポートするのに適した任意の追加要素を更に含みうる。図示されたコンポーネントのうち、ネットワークノード５６０及びＷＤ５１０が、更なる詳細とともに示されている。無線ネットワークは、無線デバイスによって提供されるサービス又は無線デバイスを介して提供されるサービスへの無線デバイスのアクセス及び／又は当該サービスの使用を容易にするために、通信及び他のタイプのサービスを１つ以上の無線デバイスに提供しうる。
【００８１】
無線ネットワークは、任意のタイプの通信、遠隔通信、データ、セルラ、及び／又は無線ネットワーク又は他の同様のタイプのシステムを備えうる、及び／又はそれらとのインタフェースを行いうる。いくつかの実施形態では、無線ネットワークは、特定の規格又は他のタイプの予め定められた規則又は手順に従って動作するように構成されうる。このため、無線ネットワークの特定の実施形態は、Global System for Mobile Communications（ＧＳＭ）、Universal Mobile Telecommunications System（ＵＭＴＳ）、ＬＴＥ、及び／又は他の適切な第２世代、第３世代、第４世代若しくは第５世代（２Ｇ、３Ｇ、４Ｇ又は５Ｇ）規格等の通信規格と、ＩＥＥＥ ８０２．１１規格等の無線ローカルエリアネットワーク（ＷＬＡＮ）規格と、Worldwide Interoperability for Microwave Access（ＷｉＭａｘ）、Ｂｌｕｅｔｏｏｔｈ、Ｚ‐Ｗａｖｅ及び／又はＺｉｇＢｅｅ規格等の、任意の他の適切な無線通信規格と、の少なくとも１つを実装しうる。
【００８２】
ネットワーク５０６は、１つ以上のバックホールネットワーク、コアネットワーク、インターネットプロトコル（ＩＰ）ネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、ＷＬＡＮ、有線ネットワーク、無線ネットワーク、メトロポリタンエリアネットワーク、及びデバイス間の通信を可能にする他のネットワーク、を含みうる。
【００８３】
ネットワークノード５６０及びＷＤ５１０は、以下でより詳細に説明する様々なコンポーネントを備える。これらのコンポーネントは、無線ネットワークで無線コネクションを提供する等の、ネットワークノード及び／又は無線デバイスの機能を提供するために連携する。種々の実施形態において、無線ネットワークは、任意の数の有線又は無線ネットワークと、ネットワークノードと、基地局と、コントローラと、無線デバイスと、中継局と、有線又は無線コネクションを介するかどうかによらずデータ及び／又は信号の通信を容易にしうる又は当該通信に参加しうる任意の他のコンポーネント又はシステムとのうちの少なくとも１つを備えうる。
【００８４】
本明細書で使用されるように、ネットワークノードは、無線デバイスへの無線アクセスを可能にする及び／又は提供するため、及び／又は、無線ネットワーク内の他の機能（例えば、管理）を実行するために、無線デバイスと直接又は間接の通信、及び／又は無線ネットワーク内の他のネットワークノード又は装置との通信を、行うことができる装置、行うように構成された装置、及び／又は行うように動作可能な装置を指す。ネットワークノードの例には、アクセスポイント（ＡＰ）（例えば、無線ＡＰ）、基地局（ＢＳ）（例えば、無線基地局、ノードＢ、ｅＮＢ及びｇＮＢ）が含まれるが、これらに限定されない。基地局は、それらが提供するカバレッジの量（又は別の言い方をすれば、それらの送信電力レベル）に基づいて分類される場合があり、その場合、フェムト基地局、ピコ基地局、マイクロ基地局、又はマクロ基地局とも称されうる。基地局は、リレーを制御するリレーノード又はリレードナーノードであってもよい。ネットワークノードは更に、集中型デジタルユニット及び／又はリモート無線ユニット（ＲＲＵ）（リモート無線ヘッド（ＲＲＨ）と称される場合がある）等の、分散型無線基地局の１つ以上の（又は全ての）部分を含みうる。このようなＲＲＵは、アンテナ一体型無線機としてアンテナと一体化される場合とされない場合がある。分散型無線基地局の一部は、分散アンテナシステム（ＤＡＳ）におけるノードとも称されることがある。ネットワークノードの更に別の例には、ＭＳＲ ＢＲ等のマルチスタンダード無線（ＭＳＲ）機器、無線ネットワークコントローラ（ＲＮＣ）又は基地局コントローラ（ＢＳＣ）等のネットワークコントローラ、基地トランシーバ局（ＢＴＳ）、送信ポイント、送信ノード、マルチセル／マルチキャスト調整エンティティ（ＭＣＥ）、コアネットワークノード（例えば、モバイルスイッチングセンタ（ＭＳＣ）、ＭＭＥ）、オペレーション及びメンテナンス（Ｏ＆Ｍ）ノード、オペレーションサポートシステム（ＯＳＳ）ノード、自己組織化ネットワーク（ＳＯＮ）ノード、測位ノード（例えば、進化型サービングモバイルロケーションセンタ（Ｅ-ＳＭＬＣ））、及び／又はドライブテストの最小化（ＭＤＴ）が含まれる。別の例として、ネットワークノードは、以下においてより詳細に説明されるように、仮想ネットワークノードであってもよい。しかしながら、より一般的には、ネットワークノードは、無線ネットワークへのアクセスを有する無線デバイスを実現及び／又は提供するように、又は、無線ネットワークにアクセスした無線デバイスに何らかのサービスを提供するように、能力を有する、構成された、配置された、及び／又は動作可能な、任意の適切なデバイス（又はデバイス群）を表しうる。
【００８５】
図５では、ネットワークノード５６０は、処理回路５７０、デバイス読取可能媒体５８０、インタフェース５９０、補助装置５８４、電源５８６、電力回路５８７、及びアンテナ５６２を備える。図５の例示的な無線ネットワークに示されたネットワークノード５６０は、ハードウェアコンポーネントの図示された組み合わせを含むデバイスを表しうるが、他の実施形態は、異なるコンポーネントの組み合わせを有するネットワークノードを含みうる。ネットワークノードは、本明細書で開示されるタスク、特徴、機能、及び方法を実行するために必要とされるハードウェア及び／又はソフトウェアの任意の適切な組み合わせを備えることを理解されたい。更に、ネットワークノード５６０のコンポーネントは、より大きなボックス内に配置された単一のボックスとして示されているか、又は複数のボックス内にネストされているが、実際には、ネットワークノードは、単一の図示されたコンポーネントを構成する複数の異なる物理的なコンポーネントを備えうる（例えば、デバイス読取可能媒体５８０は、複数の別個のハードドライブと複数のランダムアクセスメモリ（ＲＡＭ）モジュールを備えうる）。
【００８６】
同様に、ネットワークノード５６０は、複数の物理的に別個のコンポーネント（例えば、ノードＢコンポーネント及びＲＮＣコンポーネント、又はＢＴＳコンポーネント及びＢＳＣコンポーネント等）で構成されてもよく、それらはそれぞれ、独自のそれぞれのコンポーネントを有してもよい。ネットワークノード５６０が複数の別個のコンポーネント（例えば、ＢＴＳ及びＢＳＣコンポーネント）を備える特定のシナリオでは、別個のコンポーネントのうちの１つ以上がいくつかのネットワークノード間で共有されうる。例えば、単一のＲＮＣが複数のノードＢを制御してもよい。このようなシナリオでは、固有のノードＢとＲＮＣとの各ペアが、単一の個別のネットワークノードと見なされる場合がある。いくつかの実施形態では、ネットワークノード５６０は、複数の無線アクセス技術（ＲＡＴ）をサポートするように構成されうる。そのような実施形態では、いくつかのコンポーネントが重複していてもよく（例えば、異なるＲＡＴのための別個のデバイス読取可能媒体５８０）、いくつかのコンポーネントは再使用されてもよい（例えば、同じアンテナ５６２が複数のＲＡＴによって共有されてもよい）。また、ネットワークノード５６０は、例えば、ＧＳＭ、広帯域符号分割多元接続（ＷＣＤＭＡ(登録商標)）、ＬＴＥ、ＮＲ、ＷｉＦｉ又はＢｌｕｅｔｏｏｔｈ無線技術のような、ネットワークノード５６０に統合される異なる複数の無線技術のための様々な例示されたコンポーネントの複数のセットを含みうる。これらの無線技術は、ネットワークノード５６０内の同一の又は異なるチップ又はチップセット及び他のコンポーネントに統合されうる。
【００８７】
処理回路５７０は、ネットワークノードによって提供されるものとして本明細書で説明される任意の判定、計算、又は類似の動作（例えば、ある取得動作）を実行するように構成される。処理回路５７０によって実行されるこれらの動作は、例えば、取得された情報を他の情報に変換すること、取得された情報又は変換された情報を、ネットワークノードに格納された情報と比較すること、及び／又は取得された情報又は変換された情報に基づいて１つ以上の動作を実行すること、及び上記の処理の結果として判定を行うことによって、処理回路５７０によって取得された情報を処理することを含みうる。
【００８８】
処理回路５７０は、マイクロプロセッサ、コントローラ、マイクロコントローラ、中央演算処理装置（ＣＰＵ）、デジタルシグナルプロセッサ（ＤＳＰ）、特定用途向け集積回路（ＡＳＩＣ）、フィールドプログラマブルゲートアレイ（ＦＰＧＡ）、又は任意の他の適切なコンピューティングデバイス、リソース、又はハードウェア、ソフトウェア及び／又は符号化ロジックの組み合わせ、のうちの１つ以上の組み合わせを備えてよく、これらは、単独で提供、又はデバイス読取可能媒体５８０、ネットワークノード５６０の機能等の、他のネットワークノード５６０コンポーネントと併用して提供するように動作可能である。例えば、処理回路５７０は、デバイス読取可能媒体５８０又は処理回路５７０内のメモリに格納された命令を実行しうる。そのような機能は、本明細書で説明される様々な無線フィーチャ、機能、又は利益のいずれかを提供することを含みうる。一部の実施形態において、処理回路５７０は、システムオンチップ（ＳＯＣ）上のシステムを含みうる。
【００８９】
いくつかの実施形態では、処理回路５７０は、無線周波数（ＲＦ）トランシーバ回路５７２及びベースバンド処理回路５７４のうちの１つ以上を含みうる。いくつかの実施形態では、ＲＦトランシーバ回路５７２及びベースバンド処理回路５７４は、別個のチップ（又はチップセット）、ボード、又は無線ユニット及びデジタルユニット等のユニット上にあってもよい。代替の実施形態では、ＲＦトランシーバ回路５７２及びベースバンド処理回路５７４の一部又は全部が、同じチップ又はチップのセット、ボード、又はユニット上にあってもよい。
【００９０】
特定の実施形態では、ネットワークノード、基地局、ｅＮＢ、又はその他のネットワークデバイスによって提供されるものとして説明される機能の一部又は全部は、デバイス読取可能媒体５８０上に格納されている又は処理回路５７０内のメモリに格納されている命令が処理回路５７０によって実行されることによって実行されうる。代替の実施形態では、当該機能の一部又は全部は、ハードワイヤード方式等で、別個の又は個別のデバイス読取可能媒体上に格納された命令を実行することなく、処理回路５７０によって提供されうる。これらの実施形態のいずれにおいても、デバイス読取可能記憶媒体上に格納された命令を実行するか否かにかかわらず、処理回路５７０は、説明される機能を実行するように構成されうる。そのような機能によって提供される利点は、処理回路５７０のみ、又はネットワークノード５６０の他のコンポーネントに限定されず、ネットワークノード５６０全体によって、及び／又はエンドユーザ及び無線ネットワーク全体によって享受される。
【００９１】
デバイス読取可能媒体５８０は、限定されることなく、永続的ストレージ、ソリッドステートメモリ、リモートマウントメモリ、磁気媒体、光学媒体、ＲＡＭ、読み出し専用メモリ（ＲＯＭ）、大容量記憶媒体（例えば、ハードディスク）、リムーバブル記憶媒体（例えば、フラッシュドライブ、コンパクトディスク（ＣＤ）又はデジタルビデオディスク（ＤＶＤ））、及び／又は処理回路５７０によって使用されうる情報、データ及び／又は命令を格納するその他の揮発性又は不揮発性、非一時的なデバイス読取可能及び／又はコンピュータ実行可能メモリデバイスを含む、任意の形態の揮発性又は不揮発性コンピュータ読取可能メモリを含みうる。デバイス読取可能媒体５８０は、処理回路５７０によって実行され、ネットワークノード５６０によって利用されることが可能な、コンピュータプログラムと、ソフトウェアと、ロジック、ルール、コード、テーブル等のうちの１つ以上を含むアプリケーションと、他の命令との少なくとも１つを含む、任意の適切な命令、データ、又は情報を格納しうる。デバイス可読媒体５８０は、処理回路５７０によって行われた任意の演算値、及び／又はインタフェース５９０を介して受信された任意のデータを格納するために使用されうる。いくつかの実施形態では、処理回路５７０及びデバイス読取可能媒体５８０が一体化されていると見なされる場合がある。
【００９２】
インタフェース５９０は、ネットワークノード５６０、ネットワーク５０６、及び／又はＷＤ５１０間のシグナリング及び／又はデータの有線又は無線通信に使用される。図示されるように、インタフェース５９０は、例えば有線コネクションを介してネットワーク５０６との間でデータを送受信するための（複数の）ポート／端子５９４を備える。インタフェース５９０は更に、アンテナ５６２に結合されうるか又は特定の実施形態ではその一部でありうる無線フロントエンド回路５９２を含む。無線フロントエンド回路５９２は、フィルタ５９８及び増幅器５９６を備える。無線フロントエンド回路５９２は、アンテナ５６２及び処理回路５７０に接続されてもよい。無線フロントエンド回路５９２は、アンテナ５６２と処理回路５７０との間で通信される信号を調整するように構成されうる。無線フロントエンド回路５９２は、無線コネクションを介して他のネットワークノード又はＷＤに送出されるデジタルデータを受信しうる。無線フロントエンド回路５９２は、フィルタ５９８及び／又は増幅器５９６の組み合わせを用いて、デジタルデータを、適切なチャネル及び帯域幅パラメータを有する無線信号に変換しうる。その後、無線信号は、アンテナ５６２を介して送信されうる同様に、データを受信する場合、アンテナ５６２は、無線信号を収集し、当該無線信号は無線フロントエンド回路５９２によってデジタルデータに変換される。デジタルデータは、処理回路５７０に渡われる。他の実施形態では、インタフェース５９０は、異なるコンポーネント及び／又はコンポーネントの異なる組み合わせを含みうる。
【００９３】
特定の代替実施形態では、ネットワークノード５６０は別個の無線フロントエンド回路５９２を含んでいなくてもよく、その代わりに、処理回路５７０が、無線フロントエンド回路を含み、別個の無線フロントエンド回路５９２を伴わずにアンテナ５６２に接続されてもよい。同様に、いくつかの実施形態では、ＲＦトランシーバ回路５７２の全て又はいくつかは、インタフェース５９０の一部とみなされうる。更に他の実施形態では、インタフェース５９０は、無線ユニット（図示せず）の一部として、１つ以上のポート又は端子５９４、無線フロントエンド回路５９２、及びＲＦトランシーバ回路５７２を含みうるとともに、インタフェース５９０は、デジタルユニット（図示せず）の一部であるベースバンド処理回路５７４と通信しうる。
【００９４】
アンテナ５６２は、無線信号を送信及び／又は受信するように構成された１つ以上のアンテナ又はアンテナアレイを含みうる。アンテナ５６２は、無線フロントエンド回路５９２に結合されうるとともに、データ及び／又は信号を無線で送受信することが可能な任意のタイプのアンテナでありうる。いくつかの実施形態では、アンテナ５６２は、例えば２ギガヘルツ（ＧＨｚ）と６６ＧＨｚとの間で無線信号を送受信するように動作可能な、１つ以上の無指向性アンテナ、セクタアンテナ又はパネルアンテナを含んでもよい。無指向性アンテナは、任意の方向において無線信号を送受信するために使用されうる。セクタアンテナは、特定の領域内のデバイスからの無線信号を送受信するために使用されうる。パネルアンテナは、比較的直線状に無線信号を送受信するために使用される見通し内アンテナでありうる。いくつかの例では、２つ以上のアンテナの使用は他入力多出力（ＭＩＭＯ）と称されうる。いくつかの実施形態では、アンテナ５６２は、ネットワークノード５６０とは別個であってもよく、インタフェース又はポートを介してネットワークノード５６０に接続可能であってもよい。
【００９５】
アンテナ５６２、インタフェース５９０、及び／又は処理回路５７０は、ネットワークノードによって実行されるものとして本明細書で説明される任意の受信動作及び／又は特定の取得動作を実行するように構成されうる。任意の情報、データ及び／又は信号は、ＷＤ、別のネットワークノード、及び／又は任意の他のネットワーク機器から受信されうる。同様に、アンテナ５６２、インタフェース５９０、及び／又は処理回路５７０は、ネットワークノードによって実行されるものとして本明細書で説明される任意の送信動作を実行するように構成されうる。任意の情報、データ及び／又は信号は、ＷＤ、別のネットワークノード、及び／又は任意の他のネットワーク機器へ送信されうる。
【００９６】
電力回路５８７は、電力管理回路を含みうるか又は電力管理回路に結合されうるとともに、本明細書に記載の機能を実行するための電力をネットワークノード５６０のコンポーネントに供給するように構成される。電力回路５８７は、電源５８６から電力を受信しうる。電源５８６及び／又は電力回路５８７は、それぞれのコンポーネントに適した形式で（例えば、各コンポーネントに必要な電圧及び電流レベルで）ネットワークノード５６０の様々なコンポーネントに電力を供給するように構成されうる。電源５８６は、電力回路５８７及び／又はネットワークノード５６０に含まれてもよいし、又はその外部に設けられてもよい。例えば、ネットワークノード５６０は、電気ケーブル等の入力回路又はインタフェースを介して、外部電源（例えば、電気コンセント）に接続可能であってもよく、それにより外部電源が電力回路５８７に電力を供給する。更なる例として、電源５８６は、電力回路５８７に接続又は統合される、バッテリ又はバッテリパックの形態の電源を含みうる。外部電源に障害が発生した場合、バッテリがバックアップ電力を供給しうる。光起電デバイスのような他のタイプの電源も使用されうる。
【００９７】
ネットワークノード５６０の代替的な実施形態は、本明細書に記載の機能のいずれか、及び／又は本明細書に記載の主題をサポートするために必要な任意の機能を含む、ネットワークノードの機能のある態様を提供することに関与しうる、図５に示されるもの以外の追加のコンポーネントを含みうる。例えば、ネットワークノード５６０は、ネットワークノード５６０への情報の入力を可能にし、かつ、ネットワークノード５６０からの情報の出力を可能にするユーザインタフェース機器を含みうる。これにより、ユーザは、ネットワークノード５６０の診断、保守、修理、及び他の管理機能を行いうる。
【００９８】
本明細書で使用されるように、ＷＤは、ネットワークノード及び／又は他のＷＤと無線で通信するように、能力を有する、構成された、配置された及び／又は動作可能なデバイスを指す。特に断りの無い限り、ＷＤとの用語は、本明細書ではＵＥと互換的に使用されうる。無線通信は、電磁波、電波、赤外線、及び／又は空気を介して情報を伝達するのに適した他のタイプの信号を使用して、無線信号を送信及び／又は受信することを伴いうる。いくつかの実施形態では、ＷＤは、直接的なヒューマンインタラクションを伴わずに情報を送信及び／又は受信するように構成されうる。例えば、ＷＤは、所定のスケジュールで、内部又は外部のイベントによってトリガされたとき、又はネットワークからの要求に応答して、ネットワークに情報を送信するように設計されてもよい。ＷＤの例には、スマートフォン、携帯電話、Voice over IP（ＶｏＩＰ）電話、無線ローカルループ電話、デスクトップコンピュータ、パーソナルデジタルアシスタント（ＰＤＡ）、無線カメラ、ゲーム機又はデバイス、音楽ストレージ、再生装置、ウェアラブル端末デバイス、無線エンドポイント、移動局、タブレット、ラップトップ、Laptop Embedded Equipment（ＬＥＥ）、Laptop Mounted Equipment（ＬＭＥ）、スマートデバイス、無線カスタマー構内設備（ＣＰＥ：customer-premise equipment）、車載無線端末デバイス等が含まれるが、これらに限定されない。ＷＤは、例えば、サイドリンク通信、Vehicle-to-Vehicle（Ｖ２Ｖ）、Vehicle-to-Infrastructure（Ｖ２Ｉ）、Vehicle-to-Everything（Ｖ２Ｘ）のための３ＧＰＰ標準規格を実装することによって、Device-to-Device（Ｄ２Ｄ）通信をサポートすることがあり、この場合、Ｄ２Ｄ通信デバイスと称されることがある。更に別の具体例として、Internet of Things（ＩｏＴ）シナリオでは、ＷＤは、モニタリング及び／又は測定を実行し、そのようなモニタリング及び／又は測定の結果を別のＷＤ及び／又はネットワークノードに送信するマシン又は他のデバイスを表しうる。この場合、ＷＤは、３ＧＰＰコンテキストではＭＴＣデバイスと称されうるMachine-to-Machine（Ｍ２Ｍ）デバイスでありうる。１つの具体例として、ＷＤは、３ＧＰＰのNarrowband（狭帯域）IoT（ＮＢ−ＩｏＴ）標準規格を実装するＵＥでありうる。そのようなマシン又はデバイスの具体例は、センサ、電力メータ等の計量デバイス、産業機械、家庭用若しくは個人用機器（例えば、冷蔵庫、テレビ等）、又は個人用ウェアラブル（例えば、時計、フィットネストラッカー等）である。他のシナリオでは、ＷＤは、その動作状態、又はその動作に関連する他の機能を
モニタリング及び／又は報告することができる車両又は他の機器を表しうる。上述のようなＷＤは、無線コネクションのエンドポイントを表してもよく、その場合、デバイスは無線端末と称されうる。更に、上述のようなＷＤは、モバイルであってもよく、その場合、モバイルデバイス又はモバイル端末とも称されうる。
【００９９】
図５に図示されるように、ＷＤ５１０は、アンテナ５１１、インタフェース５１４、処理回路５２０、デバイス読取可能媒体５３０、ユーザインタフェース機器５３２、補助装置５３４、電源５３６、及び電力回路５３７を備える。ＷＤ５１０は、例えば、例を挙げるだけでも、ＧＳＭ、ＷＣＤＭＡ、ＬＴＥ、ＮＲ、ＷｉＦｉ、ＷｉＭＡＸ、又はＢｌｕｅｔｏｏｔｈ無線技術等の、ＷＤ５１０によってサポートされる異なる無線技術のために、図示されているコンポーネントのうちの１つ以上から成る複数のセットを含みうる。これらの無線技術は、ＷＤ５１０内の他のコンポーネントと同一の又は異なるチップ又はチップセットに統合されうる。
【０１００】
アンテナ５１１は、無線信号を送信及び／又は受信するように構成された１つ以上のアンテナ又はアンテナアレイを含みうるとともに、インタフェース５１４に接続される。特定の代替の実施形態では、アンテナ５１１は、ＷＤ５１０とは別個であってもよく、インタフェース又はポートを介してＷＤ５１０に接続可能であってもよい。アンテナ５１１、インタフェース５１４、及び／又は処理回路５２０は、ＷＤによって実行されるものとして本明細書で説明される任意の送信動作を実行するように構成されうる。任意の情報、データ、及び／又は信号は、ネットワークノード及び／又は別のＷＤから受信されうる。いくつかの実施形態では、無線フロントエンド回路及び／又はアンテナ５１１は、インタフェースとみなされうる。
【０１０１】
図示されるように、インタフェース５１４は、無線フロントエンド回路５１２及びアンテナ５１１を備える。無線フロントエンド回路５１２は、１つ以上のフィルタ５１８及び増幅器５１６を備える。無線フロントエンド回路５１４は、アンテナ５１１及び処理回路５２０に接続され、アンテナ５１１と処理回路５２０との間で通信される信号を調整するように構成される。無線フロントエンド回路５１２は、アンテナ５１１に結合されてもよいし、又はその一部であってもよい。いくつかの実施形態では、ＷＤ５１０は別個の無線フロントエンド回路５１２を含まなくてもよく、むしろ、処理回路５２０が無線フロントエンド回路を含み、アンテナ５１１に接続されてもよい。同様に、いくつかの実施形態では、ＲＦトランシーバ回路５２２のいくつか又は全ては、インタフェース５１４の一部とみなされうる。無線フロントエンド回路５１２は、無線コネクションを介して他のネットワークノード又はＷＤに送出されるデジタルデータを受信しうる。無線フロントエンド回路５１２は、フィルタ５１８及び／又は増幅器５１６の組み合わせを用いて、デジタルデータを、適切なチャネル及び帯域幅パラメータを有する無線信号に変換しうる。その後、無線信号は、アンテナ５１１を介して送信されうる同様に、データを受信する場合、アンテナ５１１は、無線信号を収集し、当該無線信号は無線フロントエンド回路５１２によってデジタルデータに変換される。デジタルデータは、処理回路５２０に渡われる。他の実施形態では、インタフェース５１４は、異なるコンポーネント及び／又はコンポーネントの異なる組み合わせを含みうる。
【０１０２】
処理回路５２０は、マイクロプロセッサ、コントローラ、マイクロコントローラ、ＣＰＵ、ＤＳＰ、ＡＳＩＣ、ＦＰＧＡ、又は任意の他の適切なコンピューティングデバイス、リソース、又はハードウェア、ソフトウェア及び／又は符号化ロジックの組み合わせ、のうちの１つ以上の組み合わせを備えてよく、これらは、単独で提供、又はデバイス読取可能媒体５３０、ＷＤ５１０の機能等の、他のＷＤ５１０コンポーネントと併用して提供するように動作可能である。そのような機能は、本明細書で説明される様々な無線フィーチャ、又は利益のいずれかを提供することを含みうる。例えば、処理回路５２０は、本明細書で開示される機能を提供するために、デバイス読取可能媒体５３０又は処理回路５２０内のメモリに格納された命令を実行しうる。
【０１０３】
図示されるように、処理回路５２０は、ＲＦトランシーバ回路５２２、ベースバンド処理回路５２４、及びアプリケーション処理回路５２６のうちの１つ以上を含む。他の実施形態では、処理回路５２０は、異なるコンポーネント及び／又はコンポーネントの異なる組み合わせを含みうる。いくつかの実施形態では、ＷＤ５１０の処理回路５２０はＳＯＣを備えうる。いくつかの実施形態では、ＲＦトランシーバ回路５２２、ベースバンド処理回路５２４、及びアプリケーション処理回路５２６は、別個のチップ又はチップセット上にあってもよい。代替の実施形態では、ベースバンド処理回路５２４及びアプリケーション処理回路５２６の一部又は全部は、１つのチップ又はチップセットに結合されてもよく、ＲＦトランシーバ回路５２２は別個のチップ又はチップセット上にあってもよい。更に代替の実施形態では、ＲＦトランシーバ回路５２２及びベースバンド処理回路５２４の一部又は全部は、同一のチップ又はチップセット上にあってもよく、アプリケーション処理回路５２６は、別個のチップ又はチップセット上にあってもよい。更に他の代替の実施形態では、ＲＦトランシーバ回路５２２、ベースバンド処理回路５２４、及びアプリケーション処理回路５２６の一部又は全部は、同一のチップ又はチップセットにおいて結合されてもよい。いくつかの実施形態では、ＲＦトランシーバ回路５２２は、インタフェース５１４の一部であってもよい。ＲＦトランシーバ回路５２２は、処理回路５２０のためにＲＦ信号を調整しうる。
【０１０４】
ある実施形態では、ＷＤによって実行されるものとして本明細書に記載の機能の一部又は全部は、ある実施形態ではコンピュータ読取可能記憶媒体でありうるデバイス読取可能媒体５３０上に格納された命令を実行する処理回路５２０によって提供されうる。代替の実施形態では、当該機能の一部又は全部は、ハードワイヤード方式等で、別個の又は個別のデバイス読取可能記憶媒体上に格納された命令を実行することなく、処理回路５２０によって提供されうる。これらの特定の実施形態のいずれにおいても、デバイス読取可能記憶媒体上に格納された命令を実行するか否かにかかわらず、処理回路５２０は、説明される機能を実行するように構成されうる。そのような機能によって提供される利点は、処理回路５２０のみ、又はＷＤ５１０の他のコンポーネントに限定されず、ＷＤ５１０全体によって、及び／又はエンドユーザ及び無線ネットワーク全体によって享受される。
【０１０５】
処理回路５２０は、ＷＤによって実行されるものとして本明細書に記載の任意の判定、計算、又は類似の動作（例えば、ある取得動作）を実行するように構成されうる。処理回路５２０によって実行されるようなこれらの動作は、例えば、取得された情報を他の情報に変換すること、取得された情報又は変換された情報を、ＷＤ５１０により格納された情報と比較すること、及び／又は取得された情報又は変換された情報に基づいて１つ以上の動作を実行すること、及び上記の処理の結果として判定を行うことによって、処理回路５２０によって取得された情報を処理することを含みうる。
【０１０６】
デバイス読取可能媒体５３０は、処理回路５２０によって実行されることが可能な、コンピュータプログラムと、ソフトウェアと、ロジック、ルール、コード、テーブル等のうちの１つ以上を含むアプリケーションと、他の命令とのうちの少なくとも１つを格納するように動作可能でありうる。デバイス読取可能媒体５３０は、コンピュータメモリ（例えば、ＲＡＭ又はＲＯＭ）、大容量記憶媒体（例えば、ハードディスク）、リムーバブル記憶媒体（例えば、ＣＤ又はＤＶＤ）、及び／又は処理回路５２０によって使用されうる情報、データ及び／又は命令を格納する任意の他の揮発性又は不揮発性、非一時的なデバイス読取可能及び／又はコンピュータ実行可能メモリデバイスを含みうる。いくつかの実施形態では、処理回路５２０及びデバイス読取可能媒体５３０が一体化されていると見なされる場合がある。
【０１０７】
ユーザインタフェース機器５３２は、人間のユーザがＷＤ５１０とインタラクションすることを可能にするコンポーネントを提供しうる。このようなインタラクションは、視覚的、聴覚的、触覚的等の多くの形態でありうる。ユーザインタフェース機器５３２は、ユーザへの出力を生成するように、及びユーザがＷＤ５１０に入力を提供することを可能にするように動作可能でありうる。インタラクションのタイプは、ＷＤ５１０に組み込まれたユーザインタフェース機器５３２のタイプに応じて変わりうる。例えば、ＷＤ５１０がスマートフォンである場合、インタラクションはタッチスクリーンを介するものでありうる。ＷＤ５１０がスマートメーターである場合、インタラクションは使用量（例えば、使用されるガロン数）を提供する画面又は（例えば、煙が検知された場合に）音声アラートを提供するスピーカを介するものでありうる。ユーザインタフェース機器５３２は、入力インタフェース、デバイス及び回路と、出力インタフェース、デバイス及び回路とを含みうる。ユーザインタフェース装置５３２は、ＷＤ５１０への情報の入力を可能にするように構成され、処理回路５２０が入力情報を処理することを可能にするように処理回路５２０に接続される。ユーザインタフェース機器５３２は、例えば、マイクロフォン、近接センサ若しくは他のセンサ、キー／ボタン、タッチディスプレイ、１つ以上のカメラ、ユニバーサルシリアルバス（ＵＳＢ）ポート、又は他の入力回路を含みうる。ユーザインタフェース機器５３２は更に、ＷＤ５１０からの情報の出力を可能にし、処理回路５２０がＷＤ５１０から情報を出力することを可能にするように構成される。ユーザインタフェース機器５３２は、例えば、スピーカ、ディスプレイ、振動回路、ＵＳＢポート、ヘッドホンインタフェース、又は他の出力回路を含みうる。ユーザインタフェース機器５３２の１つ以上の入出力インタフェース、デバイス、及び回路を使用して、ＷＤ５１０は、エンドユーザ及び／又は無線ネットワークと通信しうるとともに、本明細書に記載の機能からの利点をエンドユーザ及び／又は無線ネットワークが享受できるようにしうる。
【０１０８】
補助装置５３４は、一般にＷＤによって実行されない可能性があるより具体的な機能を提供するように動作可能である。これは、様々な目的のために測定を行うための専用センサ、有線通信等の追加のタイプの通信のためのインタフェースを含みうる。補助装置５３４のコンポーネントを含むこと及び当該コンポーネントのタイプは、実施形態及び／又はシナリオに応じて変わりうる。
【０１０９】
電源５３６は、いくつかの実施形態ではバッテリ又はバッテリパックの形態でありうる。外部電源（例えば、電気コンセント）、光起電力デバイス、又はパワーセル等の、他のタイプの電源も使用されうる。ＷＤ５１０は更に、電源５３６からの電力を、電源５３６からの電力を必要とするＷＤ５１０の種々の部分に送り、本明細書に記載される又は示される任意の機能を実行するための電力回路５３７を含みうる。電力回路５３７は、ある実施形態では電力管理回路を含みうる。電力回路５３７は、追加的又は代替的には、外部電源から電力を受けるように動作可能であってもよく、その場合、ＷＤ５１０は、入力回路又は電力ケーブル等のインタフェースを介して外部電源（電気コンセント等）に接続可能でありうる。ある実施形態において、電力回路５３７は更に、外部電源から電源５３６に電力を送るように動作可能であってもよい。これは、例えば電源５３６の充電のためでありうる。電力回路５３７は、電力が供給されるＷＤ５１０のそれぞれのコンポーネントに適した電力にするために、電源５３６からの電力に対して任意の調整、変換、又は他の修正を行いうる。
【０１１０】
図６は、本明細書に記載の様々な態様に係るＵＥの一実施形態を示す。本明細書で使用されるように、ユーザ装置又はＵＥは、必ずしも、関連するデバイスの所有及び／又は操作を行う人間のユーザという意味でユーザを有するとは限らない。代わりに、ＵＥは、人間のユーザへの販売又は人間のユーザによる操作が意図されているが、特定の人間のユーザ（例えば、スマートスプリンクラコントローラ）に関連付けられていなくてもよい、又は最初は関連付けられていなくてもよいデバイスを表しうる。あるいは、ＵＥは、エンドユーザへの販売又はエンドユーザによる操作を意図されていないが、ユーザ（例えば、スマート電力メータ）に関連付けられうるか又は当該ユーザの利益のために操作されうるデバイスを表しうる。ＵＥ６００は、ＮＢ−ＩｏＴ ＵＥ、ＭＴＣ ＵＥ、及び／又は拡張ＭＴＣ（ｅＭＴＣ）ＵＥを含む、３ＧＰＰによって特定される任意のＵＥでありうる。図６に示されるように、ＵＥ６００は、３ＧＰＰのＧＳＭ、ＵＭＴＳ、ＬＴＥ、及び／又は５Ｇ標準規格等の、３ＧＰＰによって公表された１つ以上の通信標準規格に従って通信するように設定されたＷＤの一例である。前述のように、ＷＤ及びＵＥとの用語は交換可能に使用されうる。したがって、図６はＵＥであるが、本明細書で説明されるコンポーネントはＷＤに等しく適用可能であり、その逆も同様である。
【０１１１】
図６において、ＵＥ６００は、処理回路６０１を備え、当該処理回路は、入出力インタフェース６０５と、ＲＦインタフェース６０９と、ネットワーク接続インタフェース６１１と、ＲＡＭ６１７、ＲＯＭ６１９、及び記憶媒体６２１等を含むメモリ６１５と、通信サブシステム６３１と、電源６３３と、任意の他のコンポーネントとのうちの少なくとも１つ、又はそれらの任意の組み合わせに、動作可能に結合されている。記憶媒体６２１は、オペレーティングシステム６２３、アプリケーションプログラム６２５、及びデータ６２７を含む。他の実施形態では、記憶媒体６２１が他の類似のタイプの情報を含みうる。あるＵＥは、図６に示されるコンポーネントの全て又は当該コンポーネントのサブセットのみを利用しうる。コンポーネント間の統合のレベルは、１つのＵＥから別のＵＥへと変化しうる。更に、あるＵＥは、複数のプロセッサ、メモリ、トランシーバ、送信機、受信機等の、コンポーネントの複数のインスタンスを含みうる。
【０１１２】
図６において、処理回路６０１は、コンピュータ命令及びデータを処理するように構成されうる。処理回路６０１は、１つ以上のハードウェア実装ステートマシン（例えば、ディスクリートロジック、ＦＰＧＡ、ＡＳＩＣ等）、プログラマブルロジックと適切なファームウェア、１つ以上の格納されたプログラム、マイクロプロセッサ又はＤＳＰ等の汎用プロセッサ、並びに適切なソフトウェア、又は上記の任意の組み合わせ等の、マシン読取可能コンピュータプログラムとしてメモリに格納されたマシン命令を実行するように動作可能な任意のシーケンシャルステートマシンを実装するように構成されうる。例えば、処理回路６０１は、２つの中央処理装置（ＣＰＵ）を含みうる。データは、コンピュータによる使用に適した形態の情報でありうる。
【０１１３】
図示された実施形態では、入出力インタフェース６０５は、入力デバイス、出力装置、又は入出力デバイスに通信インタフェースを提供するように構成されうる。ＵＥ６００は、入出力インタフェース６０５を介して出力デバイスを使用するように構成されうる。出力デバイスは、入力デバイスと同じタイプのインタフェースポートを使用しうる。例えば、ＵＥ６００への入力及びＵＥ６００からの出力を提供するためにＵＳＢポートが使用されうる。出力デバイスは、スピーカ、サウンドカード、ビデオカード、ディスプレイ、モニタ、プリンタ、アクチュエータ、エミッタ、スマートカード、別の出力デバイス、又はそれらの任意の組み合わせでありうる。ＵＥ６００は、ユーザがＵＥ６００に情報を取り込むことができるように、入出力インタフェース６０５を介して入力デバイスを使用するように構成されうる。入力デバイスは、タッチセンシティブ又はプレゼンスセンシティブディスプレイ、カメラ（例えば、デジタルカメラ、デジタルビデオカメラ、ウェブカメラ等）、マイクロフォン、センサ、マウス、トラックボール、方向パッド、トラックパッド、スクロールホイール、スマートカード等を含みうる。プレゼンスセンシティブディスプレイは、ユーザからの入力を感知するために、容量性又は抵抗性タッチセンサを含みうる。センサは、例えば、加速度計、ジャイロスコープ、傾斜センサ、力センサ、磁力計、光学センサ、近接センサ、他の同様のセンサ、又はそれらの任意の組み合わせでありうる。例えば、入力デバイスは、加速度計、磁力計、デジタルカメラ、マイクロフォン、及び光センサでありうる。
【０１１４】
図６において、ＲＦインタフェース６０９は、送信機、受信機、及びアンテナ等のＲＦコンポーネントに通信インタフェースを提供するように構成されうる。ネットワーク接続インタフェース６１１は、ネットワーク６４３Ａへの通信インタフェースを提供するように構成されうる。ネットワーク６４３Ａは、ＬＡＮ、ＷＡＮ、コンピュータネットワーク、無線ネットワーク、遠隔通信ネットワーク、他の同様のネットワーク、又はそれらの任意の組み合わせ等の、有線及び／又は無線ネットワークを含みうる。例えば、ネットワーク６４３Ａは、ＷｉＦｉネットワークを含みうる。ネットワーク接続インタフェース６１１は、イーサネット、伝送制御プロトコル（ＴＣＰ）／ＩＰ、同期型光ネットワーク（ＳＯＮＥＴ）、非同期転送モード（ＡＴＭ）等の１つ以上の通信プロトコルに従って、通信ネットワークを介して１つ以上の他のデバイスと通信するために使用される受信機及び送信機インタフェースを含むように構成されうる。ネットワーク接続インタフェース６１１は、通信ネットワークリンク（例えば、光、電気等）に適した受信機及び送信機の機能を実装しうる。送信機機能及び受信機機能は、回路コンポーネント、ソフトウェア、又はファームウェアを共有していてもよいし、あるいは、別々に実装されていてもよい。
【０１１５】
ＲＡＭ６１７は、オペレーティングシステム、アプリケーションプログラム、及びデバイスドライバ等のソフトウェアプログラムの実行中にデータ又はコンピュータ命令の記憶又はキャッシュを提供するために、バス６０２を介して処理回路６０１にインタフェースを行うように構成されうる。ＲＯＭ６１９は、コンピュータ命令又はデータを処理回路６０１に提供するように構成されうる。例えば、ＲＯＭ６１９は、不揮発性メモリに格納された、キーボードからの基本的な入出力（Ｉ／Ｏ）、スタートアップ、又はキーストロークの受信のような、基本的なシステム機能のための不変の低レベルシステムコード又はデータを格納するように構成されうる。記憶媒体６２１は、ＲＡＭ、ＲＯＭ、プログラマブルＲＯＭ（ＰＲＯＭ）、消去可能ＰＲＯＭ（ＥＰＲＯＭ）、電気的ＥＰＲＯＭ（ＥＥＰＲＯＭ）、磁気ディスク、光ディスク、フロッピーディスク、ハードディスク、リムーバブルカートリッジ、又はフラッシュドライブ等のメモリを含むように構成されうる。一例では、記憶媒体６２１は、オペレーティングシステム６２３、ウェブブラウザアプリケーション、ウィジェット又はガジェットエンジン又は他のアプリケーション等のアプリケーションプログラム６２５、及びデータファイル６２７を含むように構成されうる。記憶媒体６２１は、ＵＥ６００による使用のために、様々なオペレーティングシステムのうちのいずれか、又はオペレーティングシステムの組み合わせを格納しうる。
【０１１６】
記憶媒体６２１は、Redundant Array of Independent Disks（ＲＡＩＤ）、フロッピーディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックＲＡＭ（ＳＤＲＡＭ）、外部マイクロＤＩＭＭ ＳＤＲＡＭ、加入者識別モジュール（ＳＩＭ）又はリムーバブルユーザ識別（ＲＵＩＭ）モジュール等のスマートカードメモリ、他のメモリ、又はそれらの任意の組合せ等の、複数の物理ドライブユニットを含むように構成されうる。記憶媒体６２１は、データをオフロードする又はデータをアップロードするために、一時的又は非一時的なメモリ媒体に格納されたコンピュータ実行可能命令、アプリケーションプログラム等にＵＥ６００がアクセスすることを可能にしうる。通信システムを利用するもの等の製品は、デバイス読取可能媒体を含みうる記憶媒体６２１において有形に具現化されうる。
【０１１７】
図６において、処理回路６０１は、通信サブシステム６３１を使用してネットワーク６４３Ｂと通信するように構成されうる。ネットワーク６４３Ａ及びネットワーク６４３Ｂは、同じネットワークであってもよいし、異なるネットワークであってもよい。通信サブシステム６３１は、ネットワーク６４３Ｂと通信するために使用される１つ以上のトランシーバを含むように構成されうる。例えば、通信サブシステム６３１は、ＩＥＥＥ ８０２．６、符号分割多元接続（ＣＤＭＡ）、ＷＣＤＭＡ、ＧＳＭ、ＬＴＥ、Universal Terrestrial RAN（ＵＴＲＡＮ）、ＷｉＭａｘ等の、１つ以上の通信プロトコルに従って、無線アクセスネットワーク（ＲＡＮ）の他のＷＤ、ＵＥ、又は基地局等の、無線通信が可能な他のデバイスの１つ以上のリモートトランシーバと通信するために使用される１つ以上のトランシーバを含むように構成されうる。各トランシーバは、ＲＡＮリンクに適した送信機又は受信機の機能（例えば、周波数割り当て等）をそれぞれ実装するために、送信機６３３及び／又は受信機６３５を含みうる。更に、各トランシーバの送信機６３３及び受信機６３５は、回路コンポーネント、ソフトウェア、又はファームウェアを共有していてもよいし、あるいは、別々に実装されていてもよい。
【０１１８】
図示された実施形態では、通信サブシステム６３１の通信機能は、データ通信、音声通信、マルチメディア通信、Ｂｌｕｅｔｏｏｔｈ等の短距離通信、近距離通信、位置を判定するための全地球測位システム（ＧＰＳ）の使用等の位置ベース通信、他の同様の通信機能、又はそれらの任意の組み合わせを含みうる。例えば、通信サブシステム６３１は、セルラ通信、ＷｉＦｉ通信、Ｂｌｕｅｔｏｏｔｈ通信、及びＧＰＳ通信を含みうる。ネットワーク６４３Ｂは、ＬＡＮ、ＷＡＮ、コンピュータネットワーク、無線ネットワーク、遠隔通信ネットワーク、他の同様のネットワーク、又はそれらの任意の組み合わせ等の、有線及び／又は無線ネットワークを含みうる。例えば、ネットワーク６４３Ｂは、セルラネットワーク、ＷｉＦｉネットワーク、及び／又は近距離ネットワークでありうる。電源６１３は、ＵＥ６００のコンポーネントに交流（ＡＣ）又は直流（ＤＣ）電力を供給するように構成されうる。
【０１１９】
本明細書に記載の特徴、利点、及び／又は機能は、ＵＥ６００のコンポーネントのうちの１つで実装されうるか、又はＵＥ６００の複数のコンポーネントに分割されうる。更に、本明細書で説明される特徴、利点、及び／又は機能は、ハードウェア、ソフトウェア、又はファームウェアの任意の組み合わせで実装されうる。一例では、通信サブシステム６３１は、本明細書に記載のコンポーネントのうちのいずれかを含むように構成されうる。更に、処理回路６０１は、バス６０２を介してそのようなコンポーネントのいずれかと通信するように構成されうる。別の例では、そのようなコンポーネントのいずれも、処理回路６０１によって実行されるときに本明細書に記載の対応する機能を実行する、メモリに格納されたプログラム命令によって表されうる。別の例では、そのようなコンポーネントのいずれかの機能が、処理回路６０１と通信サブシステム６３１との間に分配されてもよい。別の例では、そのようなコンポーネントのいずれかの非計算集約型の機能がソフトウェア又はファームウェアで実現されてもよく、計算集約型の機能はハードウェアで実現されてもよい。
【０１２０】
図７は、いくつかの実施形態によって実装される機能が仮想化されうる仮想化環境７００を示す概略的なブロック図である。本コンテキストにおいて、仮想化手段は、ハードウェアプラットフォーム、記憶装置及びネットワーキング資源の仮想化を含みうる装置又はデバイスの仮想化バージョンを作成する。本明細書で使用されるように、仮想化は、ノード（例えば、仮想化された基地局又は仮想化された無線アクセスノード）又はデバイス（例えば、ＵＥ、ＷＤ、又は任意の他のタイプの通信デバイス）又はそれらのコンポーネントに適用されることができ、機能の少なくとも一部が１つ以上の仮想コンポーネントとして（例えば、１つ以上のネットワーク内の１つ以上の物理処理ノード上で実行される１つ以上のアプリケーション、コンポーネント、機能、仮想マシン、又はコンテナを介して）実装される実装形態に関連する。
【０１２１】
いくつかの実施形態において、本明細書に記載の機能の一部又は全部は、ハードウェアノード７３０の１つ以上によってホストされる１つ以上の仮想環境７００に実装される１つ以上の仮想マシンによって実行される仮想コンポーネントとして実装されてもよい。更に、仮想ノードが無線アクセスノードではない又は無線接続を必要としない実施形態（例えば、コアネットワークノード）では、ネットワークノードは完全に仮想化されてもよい。
【０１２２】
上記機能は、本明細書で開示される実施形態のいくつかについての特徴、機能、及び／又は利点のいくつかを実装するように動作可能な（代替的には、ソフトウェアインスタンス、仮想アプライアンス、ネットワーク機能、仮想ノード、仮想ネットワーク機能等と称されうる）１つ以上のアプリケーション７２０によって実装されうる。アプリケーション７２０は、処理回路７６０及びメモリ７９０を含むハードウェア７３０を提供する仮想化環境７００で実行される。メモリ７９０は、処理回路７６０によって実行可能な命令７９５を含み、それによって、アプリケーション７２０は、本明細書で開示される特徴、利点、及び／又は機能のうちの１つ以上を提供するように動作可能である。
【０１２３】
仮想化環境７００は、商用オフザシェルフ（ＣＯＴＳ：Commercial Off-the-Shelf）プロセッサ、ＡＳＩＣ、又はデジタル若しくはアナログハードウェアコンポーネント若しくは専用プロセッサを含む任意の他のタイプの処理回路でありうる、１つ以上のプロセッサ又は処理回路７６０のセットを含む汎用又は専用ネットワークハードウェアデバイス７３０を備える。各ハードウェアデバイスは、処理回路７６０によって実行される命令７９５又はソフトウェアを一時的に格納するための非永続的メモリでありうるメモリ７９０−１を備えうる。各ハードウェアデバイス７３０は、物理ネットワークインタフェース７８０を含む、ネットワークインタフェースカードとしても知られる１つ以上のネットワークインタフェースコントローラ（ＮＩＣ）７７０を含みうる。各ハードウェアデバイス７３０は更に、処理回路７６０によって実行可能なソフトウェア７９５及び／又は命令をその中に格納した、非一時的かつ永続的なマシン読取可能記憶媒体７９０−２を含みうる。ソフトウェア７９５は、１つ以上の仮想化レイヤ７５０（ハイパーバイザとも称される）をインスタンス化するためのソフトウェア、仮想マシン７４０を実行するためのソフトウェアと、本明細書に記載のいくつかの実施形態に関連して記載される機能、特徴、及び／又は利点を実行することを可能にするソフトウェアとを含む、あらゆるタイプのソフトウェアを含みうる。
【０１２４】
仮想マシン７４０は、仮想処理、仮想メモリ、仮想ネットワークワーキング又はインタフェース、及び仮想ストレージを含み、対応する仮想化レイヤ７５０又はハイパーバイザによって実行されうる。仮想アプライアンス７２０のインスタンスの様々な実施形態は、１つ以上の仮想マシン７４０上で実装されてもよく、当該実装は異なる方法で行われてもよい。
【０１２５】
動作中に、処理回路７６０は、ソフトウェア７９５を実行して、仮想マシンモニタ（ＶＭＭ）とも称されることがあるハイパーバイザ又は仮想化レイヤ７５０をインスタンス化する。仮想化レイヤ７５０は、仮想マシン７４０にはネットワーキングハードウェアのように見える仮想オペレーティングプラットフォームを提供しうる。
【０１２６】
図７に示すように、ハードウェア７３０は、汎用の又は特定のコンポーネントを有する独立型ネットワークノードでありうる。ハードウェア７３０は、アンテナ７２２５を含みうるとともに、仮想化を通じていくつかの機能を実装しうる。あるいは、ハードウェア７３０は、多くのハードウェアノードが連携し、かつ、特にアプリケーション７２０のライフサイクル管理を監督する管理及びオーケストレーション（ＭＡＮＯ：Management and Orchestration）７１００を介して管理される、（データセンタ又はＣＰＥ内のもののような）より大きなハードウェアのクラスタの一部であってもよい。
【０１２７】
ハードウェアの仮想化は、ネットワーク機能仮想化（ＮＦＶ：Network Function Virtualization）と称されるいくつかのコンテキストで行われる。ＮＦＶは、多くのネットワーク機器タイプを、データセンタ内に配置されうる、業界標準の大容量サーバ・ハードウェア、物理スイッチ、及び物理ストレージと、ＣＰＥとに統合するために使用されうる。
【０１２８】
ＮＦＶのコンテキストでは、仮想マシン７４０は、あたかも仮想化されていない物理マシン上で実行されているかのように、プログラムを実行する物理マシンのソフトウェア実装であってもよい。複数の仮想マシン７４０のそれぞれと、当該仮想マシン７４０を実行するハードウェア７３０のその部分は、当該仮想マシン７４０専用のハードウェア、及び／又は当該仮想マシン７４０が複数の仮想マシン７４０のうちの他のものと共有するハードウェアであり、個別の仮想ネットワーク要素（ＶＮＥ：Virtual Network Element）を形成する。
【０１２９】
なお、ＮＦＶのコンテキストでは、仮想ネットワーク機能（ＶＮＦ）は、ハードウェアネットワーキングインフラストラクチャ７３０上の１つ以上の仮想マシン７４０で実行され、かつ、図７のアプリケーション７２０に対応する、特定のネットワーク機能を処理することに関与する。
【０１３０】
いくつかの実施形態では、それぞれが１つ以上の送信機７２２０及び１つ以上の受信機７２１０を含む１つ以上の無線ユニット７２００が、１つ以上のアンテナ７２２５に結合されうる。無線ユニット７２００は、１つ以上の適切なネットワークインタフェースを介してハードウェアノード７３０と直接通信しうるとともに、無線アクセスノード又は基地局等の無線機能を仮想ノードに提供するために仮想コンポーネントと組み合わせて使用されうる。
【０１３１】
いくつかの実施形態では、いくつかのシグナリングが、ハードウェアノード７３０と無線ユニット７２００との間の通信のために代替的に使用されうる制御システム７２３０を使用して行われうる。
【０１３２】
図８を参照すると、実施形態に従って、通信システムは、３ＧＰＰタイプのセルラネットワーク等の通信ネットワーク８１０を含み、当該通信ネットワークは、無線アクセスネットワーク等のアクセスネットワーク８１１と、コアネットワーク８１４とを含む。アクセスネットワーク８１１は、それぞれ対応するカバレッジエリア８１３Ａ，８１３Ｂ，８１３Ｃを規定する、ＮＢ、ｅＮＢ、ｇＮＢ、又はその他のタイプの無線アクセスポイント等の複数の基地局８１２Ａ，８１２Ｂ，８１２Ｃを備える。各基地局８１２Ａ，８１２Ｂ，８１２Cは、有線又は無線コネクション８１５を介してコアネットワーク８１４に接続可能である。カバレッジエリア８１３Ｃに位置する第１のＵＥ８９１は、対応する基地局８１２Ｃに無線で接続する、又は当該基地局によってページングされるように構成される。カバレッジエリア８１３Ａ内の第２のＵＥ８９２は、対応する基地局８１２Ａに無線で接続可能である。この例では、複数のＵＥ８９１，８９２が示されているが、開示された実施形態は、単一のＵＥがカバレッジエリア内にある状況、又は単一のＵＥが対応する基地局８１２に接続している状況にも同様に適用可能である。
【０１３３】
通信ネットワーク８１０自体は、ホストコンピュータ８３０に接続され、当該ホストコンピュータは、独立型サーバ、クラウド実装型サーバ、分散型サーバのハードウェア及び／又はソフトウェアで、又はサーバファーム内の処理リソースとして実施されうる。ホストコンピュータ８３０は、サービスプロバイダの所有であっても制御下にあってもよく、又は、サービスプロバイダによって又はサービスプロバイダの代わりに操作されてもよい。通信ネットワーク８１０とホストコンピュータ８３０との間のコネクション８２１，８２２は、コアネットワーク８１４からホストコンピュータ８３０に直接延びていてもよいし、オプションの中間ネットワーク８２０を介して延びていてもよい。中間ネットワーク８２０は、パブリックネットワーク、プライベートネットワーク、又はホストネットワークのうちの１つ以上の組合せであってもよく、中間ネットワーク８２０は、もしあれば、バックボーンネットワーク又はインターネットであってもよく、特に、中間ネットワーク８２０は、２つ以上のサブネットワーク（図示せず）を含んでもよい。
【０１３４】
図８の通信システムは、全体として、接続されたＵＥ８９１，８９２のうちの１つとホストコンピュータ８３０との間の接続性を与える。当該接続性は、オーバー・ザ・トップ（ＯＴＴ：over-the-top）コネクション８５０として説明されうる。ホストコンピュータ８３０及び接続されたＵＥ８９１，８９２は、アクセスネットワーク８１１、コアネットワーク８１４、任意の中間ネットワーク８２０、及び可能性のある更なるインフラストラクチャ（図示せず）を媒介として使用して、ＯＴＴコネクション８５０を介してデータ及び／又はシグナリングを通信するように構成される。ＯＴＴコネクション８５０は、ＯＴＴコネクション８５０が通過する参加通信デバイスが、アップリンク通信及びダウンリンク通信のルーティングに気付かないという意味で、トランスペアレントでありうる。例えば、基地局８１２は、接続されたＵＥ８９１に転送される（例えば、ハンドオーバされる）ホストコンピュータ８３０から発信されたデータを有する、到着するダウンリンク通信の過去のルーティングについて通知されてなくてもよく、又は通知される必要がなくてもよい。同様に、基地局８１２は、ＵＥ８９１からホストコンピュータ８３０へ向かう、発信されるアップリンク通信の将来のルーティングを知っている必要はない。
【０１３５】
図９を参照して、前の段落で説明したＵＥ、基地局及びホストコンピュータの実施形態による実装例を以下で説明する。通信システム９００において、ホストコンピュータ９１０は、通信システム９００の、異なる通信デバイスのインタフェースとの有線又は無線接続をセットアップ及び維持するように構成された通信インタフェース９１６を含むハードウェア９１５を備える。ホストコンピュータ９１０は、ストレージ能力及び／又は処理能力を有しうる処理回路９１８を更に備える。具体的には、処理回路９１８は、命令を実行するように適合された１つ以上のプログラマブルプロセッサ、ＡＳＩＣ、ＦＰＧＡ、又はこれらの組み合わせ（図示せず）を備えうる。ホストコンピュータ９１０は、ホストコンピュータ９１０内に格納された又はホストコンピュータ９１０がアクセス可能である、かつ、処理回路９１８によって実行可能であるソフトウェア９１１を更に備える。ソフトウェア９１１は、クライアントアプリケーション９１２を含む。ホストアプリケーション９１２は、ＵＥ９３０及びホストコンピュータ９１０で終端するＯＴＴコネクション９５０を介して接続するＵＥ９３０等のリモートユーザにサービスを提供するように動作可能でありうる。サービスをリモートユーザに提供する際に、ホストアプリケーション９１２は、ＯＴＴコネクション９５０を使用して送信されるユーザデータを提供しうる。
【０１３６】
通信システム９００は更に、通信システム内に設けられ、かつ、ホストコンピュータ９１０及びＵＥ９３０と通信することを可能にするハードウェア９２５を備える基地局９２０を含む。ハードウェア９２５は、通信システム９００の、異なる通信デバイスのインタフェースとの有線又は無線コネクションをセットアップ及び維持するための通信インタフェース９２６と、基地局９２０によってサービスが行われるカバレッジエリア（図９には図示せず）内に位置するＵＥ９３０との少なくとも無線コネクション９７０をセットアップ及び維持するための無線インタフェース９２７とを含みうる。通信インタフェース９２６は、ホストコンピュータ９１０へのコネクション９６０を容易にするように構成されうる。コネクション９６０は、直接的であってもよいし、通信システムのコアネットワーク（図９には図示せず）及び／又は通信システムの外部の１つ以上の中間ネットワークを通過してもよい。図示された実施形態では、基地局９２０のハードウェア９２５は、命令を実行するように適合された１つ以上のプログラマブルプロセッサ、ＡＳＩＣ、ＦＰＧＡ、又はこれらの組み合わせ（図示せず）を備えうる処理回路９２８を更に含む。基地局９２０は、内部に格納されるか又は外部接続を介してアクセス可能なソフトウェア９２１を更に有する。
【０１３７】
通信システム９００は、既に言及したＵＥ９３０を更に含む。ＵＥ９３０のハードウェア９３５は、ＵＥ９３０が現在位置しているカバレッジエリアにサービスを行う基地局との無線コネクション９７０をセットアップ及び維持するように構成された無線インタフェース９３７を含みうる。ＵＥ９３０のハードウェア９３５は、命令を実行するように適合された１つ以上のプログラマブルプロセッサ、ＡＳＩＣ、ＦＰＧＡ、又はこれらの組み合わせ（図示せず）を含みうる処理回路９３８を更に含む。ＵＥ９３０は、ＵＥ９３０内に格納された又はＵＥ９３０がアクセス可能である、かつ、処理回路９３８によって実行可能であるソフトウェア９３１を更に備える。ソフトウェア９３１は、クライアントアプリケーション９３２を含む。クライアントアプリケーション９３２は、ホストコンピュータ９１０のサポートにより、ＵＥ９３０を介して人間の又は人間以外のユーザにサービスを提供するように動作可能でありうる。ホストコンピュータ９１０において、実行中のホストアプリケーション９１２は、ＵＥ９３０及びホストコンピュータ９１０で終端するＯＴＴコネクション９５０を介して、実行中のクライアントアプリケーション９３２と通信しうる。ユーザにサービスを提供する際、クライアントアプリケーション９３２は、ホストアプリケーション９１２から要求データを受信し、当該要求データに応じてユーザデータを提供しうる。ＯＴＴコネクション９５０は、要求データ及びユーザデータの両方を転送しうる。クライアントアプリケーション９３２は、それが提供するユーザデータを生成するためにユーザとインタラクションしうる。
【０１３８】
図９に示されるホストコンピュータ９１０、基地局９２０、及びＵＥ９３０は、それぞれ、図８のホストコンピュータ８３０、基地局８１２Ａ，８１２Ｂ，８１２Ｃのうちの１つ、及びＵＥ８９１，８９２のうちの１つと、類似又は同一でありうることに留意されたい。即ち、これらのエンティティの内部動作は、図９に示されるようなものであってもよく、独立して、周囲のネットワークトポロジは図８のものであってもよい。
【０１３９】
図９では、あらゆる中間デバイス及びそれらのデバイスを介したメッセージの正確なルーティングに明示的に言及することなく、ＯＴＴコネクション９５０が、基地局９２０を介したホストコンピュータ９１０とＵＥ９３０との間の通信を示すために抽象的に描かれている。ネットワークインフラストラクチャは、ＵＥ９３０から若しくはホストコンピュータ９１０を操作するサービスプロバイダから、又はその両方から隠すように構成されうるルーティングを決定しうる。ＯＴＴコネクション９５０がアクティブである間に、ネットワークインフラストラクチャは、（例えば、負荷の考慮又はネットワークの再設定に基づいて）ルーティングを動的に変更する決定を更に行いうる。
【０１４０】
ＵＥ９３０と基地局９２０との間の無線コネクション９７０は、本開示全体にわたって説明される実施形態の教示に従う。様々な実施形態のうちの１つ以上は、無線コネクション９７０が最後のセグメントを形成するＯＴＴコネクション９５０を使用してＵＥ９３０に提供されるＯＴＴサービスの性能を改善しうる。より正確には、これらの実施形態の教示が、例えば、データレート、レイテンシ、及び／又は消費電力を改善することができ、それによって、
ユーザの待ち時間の低減、ファイルサイズの緩和、応答性の向上、及び／又はバッテリ寿命の延長等の利点を提供できる。
【０１４１】
いくつかの実施形態では、１つ又は以上の実施形態が改善するデータレート、レイテンシ及びその他の要因をモニタリングする目的で、測定手順が提供されうる。更に、測定結果の変動に応じて、ホストコンピュータ９１０とＵＥ９３０との間のＯＴＴコネクション９５０を再設定するためのオプションのネットワーク機能があってもよい。ＯＴＴコネクション９５０を再設定するための測定手順及び／又はネットワーク機能は、ホストコンピュータ９１０のソフトウェア９１１及びハードウェア９１５、又はＵＥ９３０のソフトウェア９３１及びハードウェア９３５、又はその両方で実装されうる。いくつかの実施形態では、センサ（図示せず）が、ＯＴＴコネクション９５０が通過する通信デバイスに配置されうるか又はそれに関連して配置されうる。当該センサは、上記で例示された、モニタリングされた量の値を供給することによって、又はソフトウェア９１１，９３１が当該モニタリングされた量を他の物理量の値から計算又は推定しうる、当該他の物理量の値を供給することによって、測定手順に関与しうる。ＯＴＴコネクション９５０の再設定は、メッセージフォーマット、再送設定、好ましいルーティング等を含んでもよく、当該再設定は、基地局９２０に影響を与える必要はなく、基地局９２０には未知であるか又は感知できなくてもよい。そのような手順及び機能は、当該分野では既知でありうるとともに実践されうる。特定の実施形態では、測定は、ホストコンピュータ９１０の、スループット、伝搬時間、レイテンシ等の測定を容易にする、独自のＵＥシグナリングを含みうる。測定は、ソフトウェア９１１及び９３１が、伝搬時間、エラー等をモニタリングしながら、ＯＴＴコネクション９５０を使用して、メッセージ（特に、空のメッセージ又は「ダミー」メッセージ）を送信させることで実行されうる。
【０１４２】
図１０は、一実施形態による、通信システムにおいて実行される方法を示すフローチャートである。通信システムは、図８及び図９を参照して説明されうるホストコンピュータ、基地局、及びＵＥを含む。本開示を簡単にするために、図１０に対する図面の言及のみがこのセクションに含まれる。ステップ１０１０で、ホストコンピュータがユーザデータを提供する。ステップ１０１０の（オプションでありうる）サブステップ１０１１では、ホストコンピュータが、ホストアプリケーションを実行することによってユーザデータを提供する。ステップ１０２０で、ホストコンピュータが、ＵＥへのユーザデータを搬送する送信を開始する。（オプションでありうる）ステップ１０３０で、基地局が、本開示全体にわたって説明される実施形態の教示に従って、ホストコンピュータが開始した送信で搬送されたユーザデータをＵＥへ送信する。（オプションでありうる）ステップ１０４０で、ＵＥが、ホストコンピュータによって実行されるホストアプリケーションに関連付けられたクライアントアプリケーションを実行する。
【０１４３】
図１１は、一実施形態による、通信システムにおいて実行される方法を示すフローチャートである。通信システムは、図８及び図９を参照して説明されうるホストコンピュータ、基地局、及びＵＥを含む。本開示を簡単にするために、図１１に対する図面の言及のみがこのセクションに含まれる。本方法のステップ１１１０で、ホストコンピュータがユーザデータを提供する。オプションのサブステップ（図示せず）で、ホストコンピュータが、ホストアプリケーションを実行することによってユーザデータを提供する。ステップ１１２０で、ホストコンピュータが、ＵＥへのユーザデータを搬送する送信を開始する。当該送信は、本開示全体にわたって説明される実施形態の教示に従って、基地局を通過しうる。（オプションでありうる）ステップ１１３０で、ＵＥは、当該送信で搬送されたユーザデータを受信する。
【０１４４】
図１２は、一実施形態による、通信システムにおいて実行される方法を示すフローチャートである。通信システムは、図８及び図９を参照して説明されうるホストコンピュータ、基地局、及びＵＥを含む。本開示を簡単にするために、図１２に対する図面の言及のみがこのセクションに含まれる。（オプションでありうる）ステップ１２１０で、ＵＥは、ホストコンピュータによって提供された入力データを受信する。追加的に又は代替的に、ステップ１２２０で、ＵＥは、ユーザデータを提供する。ステップ１２２０の（オプションでありうる）サブステップ１２２１では、ホストコンピュータが、ホストアプリケーションを実行することによってユーザデータを提供する。ステップ１２１０の（オプションでありうる）サブステップ１２１１で、ＵＥが、ホストコンピュータによって提供された受信入力データに応答してユーザデータを提供するクライアントアプリケーションを実行する。ユーザデータを提供する際に、実行されるクライアントアプリケーションは、ユーザから受け付けたユーザ入力を更に考慮してもよい。ユーザデータが提供された特定の方法にかかわらず、ＵＥは、（オプションでありうる）サブステップ１２３０で、ユーザデータのホストコンピュータへの送信を開始する。本方法のステップ１２４０で、ホストコンピュータが、本開示全体にわたって説明される実施形態の教示に従って、ＵＥから送信されたユーザデータを受信する。
【０１４５】
図１３は、一実施形態による、通信システムにおいて実行される方法を示すフローチャートである。通信システムは、図８及び図９を参照して説明されうるホストコンピュータ、基地局、及びＵＥを含む。本開示を簡単にするために、図１３に対する図面の言及のみがこのセクションに含まれる。（オプションでありうる）ステップ１３１０で、本開示全体にわたって説明される実施形態の教示に従って、基地局が、ＵＥからユーザデータを受信する。（オプションでありうる）ステップ１３２０で、基地局が、受信したユーザデータのホストコンピュータへの送信を開始する。（オプションでありうる）ステップ１３３０で、ホストコンピュータは、基地局によって開始された送信で搬送されたユーザデータを受信する。
【０１４６】
図１４は、特定の実施形態に係る方法を示しており、本方法はステップ１４００で開始され、当該ステップにおいて、ネットワークノード５６０（例えば、基地局）が、アクティブ化又は非アクティブ化されるＳＰ ＳＲＳリソースのインジケーションと、ＳＰ ＳＲＳリソースについての空間的関係を示す情報とを含むＭＡＣ ＣＥを送信する（ステップ１４００）。同様に、上述のように、ＳＰ ＳＲＳ「リソース」との用語が本明細書で使用されることがあるが、少なくともいくつかの実施形態においてＳＰ ＳＲＳリソースはＳＰ ＳＲＳ「リソースセット」でありうることを理解されたい。ＭＡＣ ＣＥは、本明細書で説明された実施形態のうちのいずれか（例えば、図３及び図４に関して上述された第１の実施形態及び第２の実施形態のうちのいずれか１つ）のＭＡＣ ＣＥでありうる。ＷＤ５１０は、ＭＡＣ ＣＥを受信し（ステップ１４０２）、オプションとして、ＭＡＣ ＣＥで受信された情報に従ってＳＲＳを送信する（ステップ１４０４）。例えば、ＳＰ ＳＲＳリソースがアクティブ化された場合、ＷＤ５１０は、例えば、ＭＡＣ ＣＥにおいて示される空間的関係によって示されるアップリンクビームを用いて、アクティブ化されたＳＰ ＳＲＳリソース上でＳＲＳを送信する。
【０１４７】
図１５は、無線ネットワーク（例えば、図５に示される無線ネットワーク）における装置１５００の概略的なブロック図を示す。当該装置は、無線デバイス又はネットワークノード（例えば、図５に示されるＷＤ５１０又はネットワークノード５６０）において実装されうる。装置１５００は、図１４を参照して説明した例示的な方法、及び場合によっては本明細書で開示した任意の他のプロセス又は方法を実行するように動作可能である。図１４の方法は、必ずしも装置１５００によってのみ実行されるわけではないことも理解されるべきである。本方法の少なくともいくつかの動作は、１つ以上の他のエンティティによって実行されてもよい。
【０１４８】
仮想装置１５００は、１つ以上のマイクロプロセッサ又はマイクロコントローラを含みうる処理回路と、ＤＳＰ、専用デジタルロジック等を含みうる他のデジタルハードウェアとを備えてもよい。処理回路は、メモリに格納されたプログラムコードを実行するように構成されてもよく、当該メモリは、ＲＯＭ、ＲＡＭ、キャッシュメモリ、フラッシュメモリデバイス、光ストレージデバイス等の、１つ以上のタイプのメモリを含んでもよい。いくつかの実施形態において、メモリに格納されたプログラムコードは、１つ以上の遠隔通信及び／又はデータ通信プロトコルを実行するためのプログラム命令と、本明細書で説明される技術のうちの１つ以上を実行するための命令とを含む。いくつかの実装形態では、処理回路は、本開示の１つ以上の実施形態に従って、１つ以上のユニット１５０２と、装置１５００の他の任意の適切なユニットとに、対応する機能を実行させるために使用されてもよい。
【０１４９】
ユニットという用語は、電子機器、電気デバイス、及び／又は電子デバイスの分野において従来の意味を有してもよく、例えば、本明細書で説明されるような、電気回路及び／又は電子回路、デバイス、モジュール、プロセッサ、メモリ、ロジックソリッドステート及び／又はディスクリートデバイス、それぞれのタスク、手順、計算、出力及び／又は表示機能等を実行するためのコンピュータプログラム又は命令を含んでもよい。
【０１５０】
いくつかの例示的な実施形態は以下のとおりである。
【０１５１】
グループＡの実施形態
実施形態１：いくつかの実施形態において、セルラ通信ネットワーク内の無線デバイス用のセミパーシステントサウンディング参照信号リソースセットをアクティブ化するための、無線デバイスの動作の方法であって、メディアアクセス制御（ＭＡＣ）制御エレメント（ＣＥ）をネットワークノードから受信することを含み、ＭＡＣ ＣＥは、アクティブ化／非アクティブ化されるセミパーシステントサウンディング参照信号リソースのインジケーションと、アクティブ化／非アクティブ化される前記セミパーシステントサウンディング参照信号リソースについての空間的関係を示す情報と、を含む、方法。
【０１５２】
実施形態２：実施形態１の方法であって、前記空間的関係を示す前記情報は、前記空間的関係が提供される参照信号のタイプのインジケーション、及び、前記空間的関係が提供される参照信号の前記タイプについての参照信号リソースの識別子を含む第２のオクテットと、を含む、方法。
【０１５３】
実施形態３：実施形態２の方法であって、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す、方法。
【０１５４】
実施形態４：実施形態２の方法であって、参照信号の前記タイプの前記インジケーションは、参照信号の前記タイプを示す２ビットを含み、前記２ビットの第１の状態は、参照信号の前記タイプが参照信号の第１のタイプであることを示し、前記２ビットの第２の状態は、参照信号の前記タイプが参照信号の第２のタイプであることを示し、前記２ビットの第３の状態は、参照信号の前記タイプが参照信号の第３のタイプであることを示す、方法。
【０１５５】
実施形態５：実施形態４の方法であって、参照信号の前記第１のタイプは、チャネル状態情報参照信号（ＣＳＩ−ＲＳ）であり、参照信号の前記第２のタイプは、同期信号ブロック（ＳＳＢ）であり、参照信号の前記第３のタイプは、サウンディング参照信号（ＳＲＳ）である、方法。
【０１５６】
実施形態６：実施形態２の方法であって、前記ＭＡＣ ＣＥは、アクティブ化／非アクティブ化される前記セミパーシステントサウンディング参照信号リソースの前記インジケーションを含む第１のオクテットと、前記空間的関係が提供される参照信号の前記タイプの前記インジケーション、及び、前記空間的関係が提供される参照信号の前記タイプについての前記参照信号リソースの前記識別子を含む第２のオクテットと、を含む、方法。
【０１５７】
実施形態７：実施形態６の方法であって、
●前記第２のオクテット内の第１のビットが第１の状態に設定されている場合、
〇前記第１のビットは、前記空間的関係が提供される参照信号の前記タイプの前記インジケーションとして機能し、かつ、前記空間的関係が提供される参照信号の前記タイプは、チャネル状態情報参照信号（ＣＳＩ−ＲＳ）であり、
〇前記第２のオクテット内の残りのビットは、前記ＣＳＩ−ＲＳについての前記参照信号リソースの前記識別子として機能し、
●前記第２のオクテット内の前記第１のビットが第２の状態に設定されている場合、
〇前記第２のオクテット内の第２のビットが第１の状態に設定されているときは、
■前記第１のビット及び前記第２のビットは、前記空間的関係が提供される参照信号の前記タイプの前記インジケーションとして機能し、かつ、前記空間的関係が提供される参照信号の前記タイプは、同期信号ブロック（ＳＳＢ）であり、
■前記第２のオクテット内の残りのビットは、前記ＳＳＢについての前記参照信号リソースの前記識別子として機能し、
〇前記第２のオクテット内の前記第２のビットが第２の状態に設定されているときは、
■前記第１のビット及び前記第２のビットは、前記空間的関係が提供される参照信号の前記タイプの前記インジケーションとして機能し、かつ、前記空間的関係が提供される参照信号の前記タイプは、サウンディング参照信号（ＳＲＳ）であり、
■前記第２のオクテット内の残りのビットのうちの１つを除いた全ては、前記ＳＲＳについての前記参照信号リソースの前記識別子として機能する、方法。
【０１５８】
実施形態８：実施形態６の方法であって、前記第２のオクテット内の第１のビットは、当該第１のビットが、前記空間的関係が提供される参照信号の前記タイプの前記インジケーションとして機能し、かつ、前記空間的関係が提供される参照信号の前記タイプが、チャネル状態情報参照信号（ＣＳＩ−ＲＳ）であり、前記第２のオクテット内の残りのビットが、前記ＣＳＩ−ＲＳについての前記参照信号リソースの前記識別子として機能するように、第１の状態に設定される、方法。
【０１５９】
実施形態９：実施形態６の方法であって、前記第２のオクテット内の第１のビット及び前記第２のオクテット内の第１のビット及び第２のビットが、前記空間的関係が提供される参照信号の前記タイプの前記インジケーションとして機能し、かつ、前記空間的関係が提供される参照信号の前記タイプが、同期信号ブロック（ＳＳＢ）であり、前記第２のオクテット内の残りのビットが、前記ＳＳＢについての前記参照信号リソースの前記識別子として機能するように、前記第１のビットは第２の状態に設定され、前記第２のビットは第１の状態に設定される、方法。
【０１６０】
実施形態１０：実施形態６の方法であって、前記第２のオクテット内の第１のビット及び第２のビットが、前記空間的関係が提供される参照信号の前記タイプの前記インジケーションとして機能し、かつ、前記空間的関係が提供される参照信号の前記タイプが、サウンディング参照信号（ＳＲＳ）であり、前記第２のオクテット内の前記残りのビットのうちの１つを除いた全てが、前記ＳＲＳについての前記参照信号リソースの前記識別子として機能するように、前記第１のビットが第２の状態に設定され、前記第２のビットが第２の状態に設定される、方法。
【０１６１】
実施形態１１：実施形態１の方法であって、前記ＭＡＣ ＣＥのオクテットの第１のビットが第１の状態に設定されている場合、当該オクテットの残りのビットは、フィールドの第１のセットを含み、前記オクテットの前記第１のビットが第２の状態に設定されており、かつ、当該オクテットの第２のビットが第１の状態に設定されている場合、当該オクテットの残りのビットは、フィールドの第２のセットを含み、前記オクテットの前記第１のビットが第２の状態に設定されており、かつ、当該オクテットの前記第２のビットが第２の状態に設定されている場合、当該オクテットの残りのビットは、フィールドの第３のセットを含む、方法。
【０１６２】
実施形態１２：実施形態１１の方法であって、フィールドの前記第１のセットは、空間的関係が示されるチャネル状態情報参照信号（ＣＳＩ−ＲＳ）リソースの識別子を提供するビットを含むフィールドを含む、方法。
【０１６３】
実施形態１３：実施形態１１又は１２の方法であって、フィールドの前記第２のセットは、空間的関係が示される同期信号ブロック（ＳＳＢ）リソースの識別子を提供するビットを含むフィールドを含む、方法。
【０１６４】
実施形態１４：実施形態１１乃至１３のいずれかの方法であって、フィールドの前記第３のセットは、空間的関係が示されるサウンディング参照信号（ＳＲＳ）リソースの識別子を提供するビットを含むフィールドを含む、方法。
【０１６５】
実施形態１５：実施形態１乃至１４のいずれかの方法であって、ユーザデータを提供することと、前記ユーザデータを、基地局への送信を介してホストコンピュータへ転送することと、を更に含む、方法。
【０１６６】
グループＢの実施形態
実施形態１６：セルラ通信ネットワーク内の無線デバイス用のセミパーシステントサウンディング参照信号リソースセットをアクティブ化するための、ネットワークノード（例えば、基地局）の動作の方法であって、メディアアクセス制御（ＭＡＣ）制御エレメント（ＣＥ）を無線デバイスへ送信することを含み、ＭＡＣ ＣＥは、アクティブ化／非アクティブ化されるセミパーシステントサウンディング参照信号リソースのインジケーションと、アクティブ化／非アクティブ化される前記セミパーシステントサウンディング参照信号リソースについての空間的関係を示す情報と、を含む、方法。
【０１６７】
実施形態１７：実施形態１６の方法であって、前記空間的関係を示す前記情報は、前記空間的関係が提供される参照信号のタイプのインジケーション、及び、前記空間的関係が提供される参照信号の前記タイプについての参照信号リソースの識別子を含む第２のオクテットと、を含む、方法。
【０１６８】
実施形態１８：実施形態１７の方法であって、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す、方法。
【０１６９】
実施形態１９：実施形態１７の方法であって、参照信号の前記タイプの前記インジケーションは、参照信号の前記タイプを示す２ビットを含み、前記２ビットの第１の状態は、参照信号の前記タイプが参照信号の第１のタイプであることを示し、前記２ビットの第２の状態は、参照信号の前記タイプが参照信号の第２のタイプであることを示し、前記２ビットの第３の状態は、参照信号の前記タイプが参照信号の第３のタイプであることを示す、方法。
【０１７０】
実施形態２０：実施形態１９の方法であって、参照信号の前記第１のタイプは、チャネル状態情報参照信号（ＣＳＩ−ＲＳ）であり、参照信号の前記第２のタイプは、同期信号ブロック（ＳＳＢ）であり、参照信号の前記第３のタイプは、サウンディング参照信号（ＳＲＳ）である、方法。
【０１７１】
実施形態２１：実施形態１７の方法であって、前記ＭＡＣ ＣＥは、アクティブ化／非アクティブ化される前記セミパーシステントサウンディング参照信号リソースの前記インジケーションを含む第１のオクテットと、前記空間的関係が提供される参照信号の前記タイプの前記インジケーション、及び、前記空間的関係が提供される参照信号の前記タイプについての前記参照信号リソースの前記識別子を含む第２のオクテットと、を含む、方法。
【０１７２】
実施形態２２：実施形態２１の方法であって、
●前記第２のオクテット内の第１のビットが第１の状態に設定されている場合、
〇前記第１のビットは、前記空間的関係が提供される参照信号の前記タイプの前記インジケーションとして機能し、かつ、前記空間的関係が提供される参照信号の前記タイプは、チャネル状態情報参照信号（ＣＳＩ−ＲＳ）であり、
〇前記第２のオクテット内の残りのビットは、前記ＣＳＩ−ＲＳについての前記参照信号リソースの前記識別子として機能し、
●前記第２のオクテット内の前記第１のビットが第２の状態に設定されている場合、
〇前記第２のオクテット内の第２のビットが第１の状態に設定されているときは、
■前記第１のビット及び前記第２のビットは、前記空間的関係が提供される参照信号の前記タイプの前記インジケーションとして機能し、かつ、前記空間的関係が提供される参照信号の前記タイプは、同期信号ブロック（ＳＳＢ）であり、
■前記第２のオクテット内の残りのビットは、前記ＳＳＢについての前記参照信号リソースの前記識別子として機能し、
〇前記第２のオクテット内の前記第２のビットが第２の状態に設定されているときは、
■前記第１のビット及び前記第２のビットは、前記空間的関係が提供される参照信号の前記タイプの前記インジケーションとして機能し、かつ、前記空間的関係が提供される参照信号の前記タイプは、サウンディング参照信号（ＳＲＳ）であり、
■前記第２のオクテット内の残りのビットのうちの１つを除いた全ては、前記ＳＲＳについての前記参照信号リソースの前記識別子として機能する、方法。
【０１７３】
実施形態２３：実施形態２１の方法であって、前記第２のオクテット内の第１のビットは、当該第１のビットが、前記空間的関係が提供される参照信号の前記タイプの前記インジケーションとして機能し、かつ、前記空間的関係が提供される参照信号の前記タイプが、チャネル状態情報参照信号（ＣＳＩ−ＲＳ）であり、前記第２のオクテット内の残りのビットが、前記ＣＳＩ−ＲＳについての前記参照信号リソースの前記識別子として機能するように、第１の状態に設定される、方法。
【０１７４】
実施形態２４：実施形態２１の方法であって、前記第２のオクテット内の第１のビット及び前記第２のオクテット内の第１のビット及び第２のビットが、前記空間的関係が提供される参照信号の前記タイプの前記インジケーションとして機能し、かつ、前記空間的関係が提供される参照信号の前記タイプが、同期信号ブロック（ＳＳＢ）であり、前記第２のオクテット内の残りのビットが、前記ＳＳＢについての前記参照信号リソースの前記識別子として機能するように、前記第１のビットは第２の状態に設定され、前記第２のビットは第１の状態に設定される、方法。
【０１７５】
実施形態２５：実施形態２１の方法であって、前記第２のオクテット内の第１のビット及び第２のビットが、前記空間的関係が提供される参照信号の前記タイプの前記インジケーションとして機能し、かつ、前記空間的関係が提供される参照信号の前記タイプが、サウンディング参照信号（ＳＲＳ）であり、前記第２のオクテット内の前記残りのビットのうちの１つを除いた全てが、前記ＳＲＳについての前記参照信号リソースの前記識別子として機能するように、前記第１のビットが第２の状態に設定され、前記第２のビットが第２の状態に設定される、方法。
【０１７６】
実施形態２６：実施形態１６の方法であって、前記ＭＡＣ ＣＥのオクテットの第１のビットが第１の状態に設定されている場合、当該オクテットの残りのビットは、フィールドの第１のセットを含み、前記オクテットの前記第１のビットが第２の状態に設定されており、かつ、当該オクテットの第２のビットが第１の状態に設定されている場合、当該オクテットの残りのビットは、フィールドの第２のセットを含み、前記オクテットの前記第１のビットが第２の状態に設定されており、かつ、当該オクテットの前記第２のビットが第２の状態に設定されている場合、当該オクテットの残りのビットは、フィールドの第３のセットを含む、方法。
【０１７７】
実施形態２７：実施形態２６の方法であって、フィールドの前記第１のセットは、空間的関係が示されるチャネル状態情報参照信号（ＣＳＩ−ＲＳ）リソースの識別子を提供するビットを含むフィールドを含む、方法。
【０１７８】
実施形態２８：実施形態２６又は２７の方法であって、フィールドの前記第２のセットは、空間的関係が示される同期信号ブロック（ＳＳＢ）リソースの識別子を提供するビットを含むフィールドを含む、方法。
【０１７９】
実施形態２９：実施形態２６乃至２８のいずれかの方法であって、フィールドの前記第３のセットは、空間的関係が示されるサウンディング参照信号（ＳＲＳ）リソースの識別子を提供するビットを含むフィールドを含む、方法。
【０１８０】
実施形態３０：上記の実施形態のいずれかの方法であって、ユーザデータを取得することと、前記ユーザデータをホストコンピュータ又は無線デバイスへ転送することと、を更に含む、方法。
【０１８１】
グループＣの実施形態
実施形態３１：セルラ通信ネットワーク内の無線デバイス用のセミパーシステントサウンディング参照信号リソースをアクティブ化するための無線デバイスであって、グループＡの実施形態のいずれかに含まれるステップを実行するように構成された処理回路と、前記無線デバイスに電力を供給するように構成された電源回路と、を備える、無線デバイス。
【０１８２】
実施形態３２：セルラ通信ネットワーク内の無線デバイスのためのセミパーシステントサウンディング参照信号リソースをアクティブ化するための基地局であって、グループＢの実施形態のいずれかに含まれるステップを実行するように構成された処理回路と、前記基地局に電力を供給するように構成された電源回路と、を備える、基地局。
【０１８３】
実施形態３３：セルラ通信ネットワーク内の無線デバイスのためのセミパーシステントサウンディング参照信号リソースをアクティブ化するためのユーザ装置（ＵＥ）であって、前記ＵＥは、無線信号を送受信するように構成されたアンテナと、前記アンテナに接続され、かつ、処理回路に接続され、前記アンテナと前記処理回路との間で通信される信号を調整するように構成された無線フロントエンド回路と、グループＡの実施形態のいずれかに含まれるステップを実行するようにこうせいされた前記処理回路と、前記処理回路に接続され、前記ＵＥへの情報の入力が前記処理回路によって処理されることを可能にするように構成された入力インタフェースと、前記処理回路に接続され、前記処理回路によって処理された前記ＵＥからの情報を出力するように構成された出力インタフェースと、前記処理回路に接続され、前記ＵＥに電力を供給するように構成されたバッテリと、を備える、ユーザ装置。
【０１８４】
実施形態３４：ホストコンピュータを含む通信システムであって、当該ホストコンピュータは、ユーザデータを提供するように構成された処理回路と、ユーザ装置（ＵＥ）に送信するために前記ユーザデータをセルラネットワークへ転送するように構成された通信インタフェースと、を備え、前記セルラネットワークは、無線インタフェース及び処理回路を有する基地局を備え、前記基地局の処理回路は、グループＢの実施形態のいずれかに含まれるステップを実行するように構成される、通信システム。
【０１８５】
実施形態３５：上記実施形態の通信システムであって、前記基地局を更に備える、通信システム。
【０１８６】
実施形態３６：上記２つの実施形態の通信システムであって、前記ＵＥを更に含み、前記ＵＥは前記基地局と通信するように構成される、通信システム。
【０１８７】
実施形態３７：上記３つの実施形態の通信システムであって、前記ホストコンピュータの前記処理回路は、ホストアプリケーションを実行し、それによって前記ユーザデータを提供するように構成され、前記ＵＥは、前記ホストアプリケーションに関連付けられたクライアントアプリケーションを実行するように構成された処理回路を備える、通信システム。
【０１８８】
実施形態３８：ホストコンピュータ、基地局、及びユーザ装置（ＵＥ）を含む通信システムにおいて実行される方法であって、前記ホストコンピュータにおいて、ユーザデータを提供することと、前記ホストコンピュータにおいて、前記基地局を備えるセルラネットワークを介して前記ＵＥへ前記ユーザデータを搬送する送信を開始することと、を含み、前記基地局は、グループＢの実施形態のいずれかに含まれるステップを実行する、方法。
【０１８９】
実施形態３９：上記実施形態の方法であって、前記基地局において、ユーザデータを送信することを更に含む、方法。
【０１９０】
実施形態４０：上記２つの実施形態の方法であって、前記ユーザデータは、ホストアプリケーションを実行することによって前記ホストコンピュータにおいて提供され、前記方法は更に、前記ＵＥにおいて、前記ホストアプリケーションに関連付けられたクライアントアプリケーションを実行することを含む、方法。
【０１９１】
実施形態４１：基地局と通信するように構成されたユーザ装置（ＵＥ）であって、前記ＵＥは、無線インタフェースと、上記３つの実施形態の方法を実行するように構成された処理回路とを備える、ＵＥ。
【０１９２】
実施形態４２：ホストコンピュータを含む通信システムであって、当該ホストコンピュータは、ユーザデータを提供するように構成された処理回路と、ユーザ装置（ＵＥ）に送信するためにユーザデータをセルラネットワークへ転送するように構成された通信インタフェースと、を備え、前記ＵＥは、無線インタフェース及び処理回路を有する基地局を備え、前記ＵＥの処理回路は、グループＡの実施形態のいずれかに含まれるステップを実行するように構成される、通信システム。
【０１９３】
実施形態４３：上記実施形態の通信システムであって、前記セルラネットワークは、前記ＵＥと通信するように構成された基地局を更に含む、通信システム。
【０１９４】
実施形態４４：上記２つの実施形態の通信システムであって、前記ホストコンピュータの前記処理回路は、ホストアプリケーションを実行し、それによって前記ユーザデータを提供するように構成され、前記ＵＥの処理回路は、前記ホストアプリケーションに関連付けられたクライアントアプリケーションを実行するように構成されている、通信システム。
【０１９５】
実施形態４５：ホストコンピュータ、基地局、及びユーザ装置（ＵＥ）を含む通信システムにおいて実行される方法であって、前記ホストコンピュータにおいて、ユーザデータを提供することと、前記ホストコンピュータにおいて、前記基地局を備えるセルラネットワークを介して前記ＵＥへ前記ユーザデータを搬送する送信を開始することと、を含み、前記ＵＥは、グループＡの実施形態のいずれかに含まれるステップを実行する、方法。
【０１９６】
実施形態４６：上記実施形態の方法であって、前記ＵＥにおいて、前記基地局から前記ユーザデータを受信することを更に含む、方法。
【０１９７】
実施形態４７：ユーザ装置（ＵＥ）から基地局への送信から生じるユーザデータを受信するように構成された通信インタフェースを備えるホストコンピュータを含む通信システムであって、前記ＵＥは、無線インタフェース及び処理回路を備え、前記ＵＥの処理回路は、グループＡの実施形態のいずれかに含まれるステップを実行するように構成される、通信システム。
【０１９８】
実施形態４８：上記実施形態の通信システムであって、前記ＵＥを更に備える、通信システム。
【０１９９】
実施形態４９：上記２つの実施形態の通信システムであって、前記基地局を更に含み、当該基地局は、前記ＵＥと通信するように構成された無線インタフェースと、前記ＵＥから前記基地局への送信によって搬送される前記ユーザデータを前記ホストコンピュータへ転送するように構成された通信インタフェースと、を備える、通信システム。
【０２００】
実施形態５０：上記３つの実施形態の通信システムであって、前記ホストコンピュータの前記処理回路は、ホストアプリケーションを実行するように構成され、前記ＵＥの処理回路は、前記ホストアプリケーションに関連付けられたクライアントアプリケーションを実行し、それによって前記ユーザデータを提供するように構成されている、通信システム。
【０２０１】
実施形態５１：上記４つの実施形態の通信システムであって、前記ホストコンピュータの処理回路は、ホストアプリケーションを実行し、それにより要求データを提供するように構成され、前記ＵＥの処理回路は、前記ホストアプリケーションに関連付けられたクライアントアプリケーションを実行し、それにより、前記要求データに応じて前記ユーザデータを提供するように構成される、通信システム。
【０２０２】
実施形態５２：ホストコンピュータ、基地局、及びユーザ装置（ＵＥ）を含む通信システムにおいて実行される方法であって、前記方法は、前記ホストコンピュータにおいて、前記ＵＥから前記基地局へ送信されたユーザデータを受信することを含み、前記ＵＥは、グループＡの実施形態のいずれかに含まれるステップを実行する、方法。
【０２０３】
実施形態５３：上記実施形態の方法であって、前記ＵＥにおいて、前記基地局へ前記ユーザデータを提供することを更に含む、方法。
【０２０４】
実施形態５４：上記２つの実施形態の方法であって、前記ＵＥにおいて、クライアントアプリケーションを実行し、それにより、送信対象の前記ユーザデータを提供することと、前記ホストコンピュータにおいて、前記クライアントアプリケーションに関連付けられたホストアプリケーションを実行することと、を更に含む、方法。
【０２０５】
実施形態５５：上記３つの実施形態の方法であって、前記ＵＥにおいて、クライアントアプリケーションを実行することと、前記ＵＥにおいて、前記クライアントアプリケーションへの入力データであって、前記クライアントアプリケーションに関連付けられたホストアプリケーションを実行することによって前記ホストコンピュータにおいて提供される前記入力データを受信することと、を含み、送信対象の前記ユーザデータは、前記入力データに応じて前記クライアントアプリケーションによって提供される、方法。
【０２０６】
実施形態５６：ユーザ装置（ＵＥ）から基地局への送信から生じるユーザデータを受信するように構成された通信インタフェースを備えるホストコンピュータを含む通信システムであって、前記基地局は、無線インタフェース及び処理回路を備え、前記基地局の処理回路は、グループＢの実施形態のいずれかに含まれるステップを実行するように構成される、通信システム。
【０２０７】
実施形態５７：上記実施形態の通信システムであって、前記基地局を更に備える、通信システム。
【０２０８】
実施形態５８：上記２つの実施形態の通信システムであって、前記ＵＥを更に含み、前記ＵＥは前記基地局と通信するように構成される、通信システム。
【０２０９】
実施形態５９：上記３つの実施形態の通信システムであって、前記ホストコンピュータの前記処理回路は、ホストアプリケーションを実行するように構成され、前記ＵＥは、前記ホストコンピュータと関連付けられたクライアントアプリケーションを実行することで、前記ホストコンピュータによって受信される前記ユーザデータを提供するように構成される、通信システム。
【０２１０】
実施形態６０：ホストコンピュータ、基地局、及びユーザ装置（ＵＥ）を含む通信システムにおいて実行される方法であって、前記方法は、前記ホストコンピュータにおいて、前記基地局が前記ＵＥから受信した送信から生じたユーザデータを、前記基地局から受信することを含み、前記ＵＥは、グループＡの実施形態のいずれかに含まれるステップを実行する、方法。
【０２１１】
実施形態６１：上記実施形態の方法であって、前記基地局において、前記から前記ユーザデータを受信することを更に含む、方法。
【０２１２】
実施形態６２：上記２つの実施形態の方法であって、前記基地局において、前記受信したユーザデータの前記ホストコンピュータへの送信を開始することを更に含む、方法。
【０２１３】
本開示では、以下の略語の少なくともいくつかが使用されうる。略語間に不整合がある場合、それが上記でどのように使用されるかが優先されるべきである。以下で複数回リストされた場合、最初のリストは、その後の任意のリストよりも優先されるべきである。
・2G    Second Generation
・3G    Third Generation
・3GPP    Third Generation Partnership Project
・4G    Fourth Generation
・5G    Fifth Generation 
・AC    Alternating Current
・AP    Access Point
・AP SRS  Aperiodic Sounding Reference Signal
・ASIC    Application Specific Integrated Circuit
・ATM    Asynchronous Transfer Mode
・BS    Base Station
・BSC    Base Station Controller
・BTS    Base Transceiver Station
・CD    Compact Disk
・CDMA    Code Division Multiple Access
・CE    Control Element
・COTS    Commercial Off-the-Shelf
・CP-OFDM    Cyclic Prefix Orthogonal Frequency Division Multiplexing
・CPE    Customer Premise Equipment
・CPU    Central Processing Unit
・CQI    Channel Quality Information
・CRI    Channel State Information Reference Signal Index
・CSI-RS    Channel State Information Reference Signal
・D2D    Device-to-Device
・DAS    Distributed Antenna System
・DC    Direct Current
・DCI    Downlink Control Information
・DIMM    Dual In-Line Memory Module
・DSP    Digital Signal Processor
・DVD    Digital Video Disk
・EEPROM    Electrically Erasable Programmable Read Only Memory
・eFD-MIMO    Enhanced Full Dimension Multiple Input Multiple Output
・eMTC    Enhanced Machine-Type Communication
・eNB    Enhanced or Evolved Node B
・EPROM    Erasable Programmable Read Only Memory
・E-SMLC    Evolved Serving Mobile Location Center
・FDD    Frequency Division Duplexing
・FD-MIMO    Full Dimension Multiple Input Multiple Output
・FPGA    Field Programmable Gate Array
・GHz    Gigahertz
・gNB    Next Generation or New Radio Base Station
・GPS    Global Positioning System
・GSM    Global System for Mobile Communications
・HDDS    Holographic Digital Data Storage
・HD-DVD    High-Density Digital Versatile Disc
・ID    Identifier
・IE    Information Element
・I/O    Input and Output
・IoT    Internet of Things
・IP    Internet Protocol
・LAN    Local Area Network
・LEE    Laptop Embedded Equipment
・LME    Laptop Mounted Equipment
・LTE    Long Term Evolution
・M2M    Machine-to-Machine
・MAC    Medium Access Control
・MANO    Management and Orchestration
・MCE    Multi-Cell/Multicast Coordination Entity
・MCS    Modulation and Coding State
・MDT    Minimization of Drive Tests
・MIMO    Multiple Input Multiple Output
・MME    Mobility Management Entity
・MSC    Mobile Switching Center
・MSR    Multi-Standard Radio
・MTC    Machine Type Communication
・NB-IoT    Narrowband Internet of Things
・NFV    Network Function Virtualization
・NIC    Network Interface Controller
・NR    New Radio
・O&M    Operation and Maintenance
・OFDM    Orthogonal Frequency Division Multiplexing
・OSS    Operations Support System
・OTT    Over-the-Top
・PDA    Personal Digital Assistant
・PDCCH    Physical Downlink Control Channel
・P-GW    Packet Data Network Gateway
・PMI    Precoder Matrix Indicator
・PROM    Programmable Read Only Memory
・P SRS    Periodic Sounding Reference Signal
・PSTN    Public Switched Telephone Networks
・PUSCH    Physical Uplink Shared Channel
・QCL    Quasi Co-Location
・RAID    Redundant Array of Independent Disks
・RAM    Random Access Memory
・RAN    Radio Access Network
・RAT    Radio Access Technology
・RF    Radio Frequency
・RI    Rank Indicator
・RNC    Radio Network Controller
・ROM    Read Only Memory
・RRC    Radio Resource Control
・RRH    Remote Radio Head
・RRU    Remote Radio Unit
・RS    Reference Signal
・RUIM    Removable User Identity
・SCEF    Service Capability Exposure Function
・SDRAM    Synchronous Dynamic Random Access Memory
・SIM    Subscriber Identity Module
・SOC    System on a Chip
・SON    Self-Organizing Network
・SONET    Synchronous Optical Networking
・SP SRS    Semi-Persistent Sounding Reference Signal
・SRI    Sounding Reference Signal Resource Indicator
・SRS    Sounding Reference Signal
・SSB    Synchronization Signal Block
・TCP    Transmission Control Protocol
・TDD    Time Division Duplexing
・TFRE    Time/Frequency Resource Element
・TPMI    Transmit Precoder Matrix Indicator
・TRI    Transmission Rank Indicator
・TRP    Transmit-Receive Point
・TS    Technical Specification
・UE    User Equipment
・UMTS    Universal Mobile Telecommunications System
・USB    Universal Serial Bus
・UTRAN    Universal Terrestrial Radio Access Network
・V2I    Vehicle-to-Infrastructure
・V2V    Vehicle-to-Vehicle
・V2X    Vehicle-to-Everything
・VMM    Virtual Machine Monitor
・VNE    Virtual Network Element
・VNF    Virtual Network Function
・VoIP    Voice over Internet Protocol
・WAN    Wide Area Network
・WCDMA    Wideband Code Division Multiple Access
・WD    Wireless Device
・WiMax    Worldwide Interoperability for Microwave Access
・WLAN    Wireless Local Area Network
【０２１４】
当業者であれば、本開示の実施形態に対する改良及び修正を認識するであろう。全てのそのような改良及び修正は、本明細書に開示された概念の範囲内にあると考えられる。
【図１】
2021521660.tif 000010
【図２】
2021521660.tif 000011
【図３】
2021521660.tif 000012
【図４】
2021521660.tif 000013
【図５】
2021521660.tif 000014
【図６】
2021521660.tif 000015
【図７】
2021521660.tif 000016
【図８】
2021521660.tif 000017
【図９】
2021521660.tif 000018
【図１０】
2021521660.tif 000019
【図１１】
2021521660.tif 000020
【図１２】
2021521660.tif 000021
【図１３】
2021521660.tif 000022
【図１４】
2021521660.tif 000023
【図１５】
2021521660.tif 000024
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
セルラ通信ネットワークにおける無線デバイス（510）の動作の方法であって、
メディアアクセス制御（ＭＡＣ）制御エレメント（ＣＥ）をネットワークノード（560）から受信すること（1402）を含み、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含み、
前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号のタイプのインジケーション、及び、前記空間的関係が提供される参照信号の前記タイプについての参照信号リソースセットの識別子を含む第２のオクテットと、を含む、方法。
【請求項２】
請求項１に記載の方法であって、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す、方法。
【請求項３】
請求項１に記載の方法であって、参照信号の前記タイプの前記インジケーションは、参照信号の前記タイプを示す２ビットを含み、
前記２ビットの第１の状態は、参照信号の前記タイプが参照信号の第１のタイプであることを示し、
前記２ビットの第２の状態は、参照信号の前記タイプが参照信号の第２のタイプであることを示し、
前記２ビットの第３の状態は、参照信号の前記タイプが参照信号の第３のタイプであることを示す、方法。
【請求項４】
請求項３に記載の方法であって、参照信号の前記第１のタイプは、チャネル状態情報参照信号（ＣＳＩ−ＲＳ）であり、参照信号の前記第２のタイプは、同期信号ブロック（ＳＳＢ）であり、参照信号の前記第３のタイプは、サウンディング参照信号（ＳＲＳ）である、方法。
【請求項５】
請求項１に記載の方法であって、
前記第２のオクテット内の第１のビットが第１の状態に設定されている場合、
前記第１のビットは、前記空間的関係が提供される参照信号の前記タイプの前記インジケーションとして機能し、かつ、前記空間的関係が提供される参照信号の前記タイプは、チャネル状態情報参照信号（ＣＳＩ−ＲＳ）であり、
前記第２のオクテット内の残りのビットは、前記ＣＳＩ−ＲＳについての前記参照信号リソースセットの前記識別子として機能し、
前記第２のオクテット内の前記第１のビットが第２の状態に設定されている場合、
前記第２のオクテット内の第２のビットが前記第１の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、同期信号ブロック（ＳＳＢ）であり、
前記第２のオクテット内の残りのビットは、前記ＳＳＢについての前記参照信号リソースセットの前記識別子として機能し、
前記第２のオクテット内の前記第２のビットが前記第２の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、サウンディング参照信号（ＳＲＳ）であり、
前記第２のオクテット内の前記残りのビットのうちの１つを除いた全ては、前記ＳＲＳについての前記参照信号リソースセットの前記識別子として機能する、方法。
【請求項６】
請求項１に記載の方法であって、
前記第２のオクテット内の第１のビットは、当該第１のビットが、前記空間的関係が提供される参照信号の前記タイプの前記インジケーションとして機能し、かつ、前記空間的関係が提供される参照信号の前記タイプが、チャネル状態情報参照信号（ＣＳＩ−ＲＳ）となるように、第１の状態に設定され、
前記第２のオクテット内の残りのビットは、前記ＣＳＩ−ＲＳについての前記参照信号リソースセットの前記識別子として機能する、方法。
【請求項７】
請求項１に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、同期信号ブロック（ＳＳＢ）となるように、第１の状態に設定され、
前記第２のオクテット内の残りのビットは、前記ＳＳＢについての前記参照信号リソースセットの前記識別子として機能する、方法。
【請求項８】
請求項１に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、サウンディング参照信号（ＳＲＳ）となるように、前記第２の状態に設定され、
前記第２のオクテット内の残りのビットのうちの１つを除いた全ては、前記ＳＲＳについての前記参照信号リソースセットの前記識別子として機能する、方法。
【請求項９】
請求項１に記載の方法であって、
前記ＭＡＣ ＣＥのオクテットの第１のビットが第１の状態に設定されている場合、当該オクテットの残りのビットは、フィールドの第１のセットを含み、
前記オクテットの前記第１のビットが第２の状態に設定されており、かつ、当該オクテットの第２のビットが前記第１の状態に設定されている場合、当該オクテットの残りのビットは、フィールドの第２のセットを含み、
前記オクテットの前記第１のビットが前記第２の状態に設定されており、かつ、当該オクテットの前記第２のビットが前記第２の状態に設定されている場合、当該オクテットの残りのビットは、フィールドの第３のセットを含む、方法。
【請求項１０】
請求項９に記載の方法であって、フィールドの前記第１のセットは、空間的関係が示されるチャネル状態情報参照信号（ＣＳＩ−ＲＳ）リソースセットの識別子を提供するビットを含むフィールドを含む、方法。
【請求項１１】
請求項９又は１０に記載の方法であって、フィールドの前記第２のセットは、空間的関係が示される同期信号ブロック（ＳＳＢ）リソースセットの識別子を提供するビットを含むフィールドを含む、方法。
【請求項１２】
請求項９乃至１１のいずれか１項に記載の方法であって、フィールドの前記第３のセットは、空間的関係が示されるサウンディング参照信号（ＳＲＳ）リソースセットの識別子を提供するビットを含むフィールドを含む、方法。
【請求項１３】
請求項１乃至１２のいずれか１項に記載の方法であって、前記インジケーションは、前記セミパーシステントサウンディング参照信号リソースセットをアクティブ化するためのインジケーションであり、前記方法は更に、前記アクティブ化されたセミパーシステントサウンディング参照信号リソースセット上でサウンディング参照信号を送信すること（1404）を含む、方法。
【請求項１４】
セルラ通信ネットワークのための無線デバイス（510）であって、前記無線デバイス（510）は、
メディアアクセス制御（ＭＡＣ）制御エレメント（ＣＥ）をネットワークノード（560）から受信するように構成されており、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含み、
前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号のタイプのインジケーション、及び、前記空間的関係が提供される参照信号の前記タイプについての参照信号リソースセットの識別子を含む第２のオクテットと、を含む、無線デバイス。
【請求項１５】
請求項１４に記載の無線デバイス（510）であって、前記無線デバイス（510）は、請求項２乃至１３のいずれか１項に記載の方法を実行するように更に構成される、無線デバイス。
【請求項１６】
セルラ通信ネットワークのための無線デバイス（510）であって、前記無線デバイス（510）は、
無線フロントエンド回路（512）を含むインタフェース（514）と、
前記インタフェース（514）と関連付けられた処理回路（520）と、を備え、前記処理回路（520）は前記無線デバイス（510）に、
メディアアクセス制御（ＭＡＣ）制御エレメント（ＣＥ）をネットワークノード（560）から受信させるように構成されており、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含み、
前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号のタイプのインジケーション、及び、前記空間的関係が提供される参照信号の前記タイプについての参照信号リソースセットの識別子を含む第２のオクテットと、を含む、無線デバイス。
【請求項１７】
請求項１６に記載の無線デバイス（510）であって、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す、無線デバイス。
【請求項１８】
請求項１６に記載の無線デバイス（510）であって、参照信号の前記タイプの前記インジケーションは、参照信号の前記タイプを示す２ビットを含み、
前記２ビットの第１の状態は、参照信号の前記タイプが参照信号の第１のタイプであることを示し、
前記２ビットの第２の状態は、参照信号の前記タイプが参照信号の第２のタイプであることを示し、
前記２ビットの第３の状態は、参照信号の前記タイプが参照信号の第３のタイプであることを示す、無線デバイス。
【請求項１９】
請求項１８に記載の無線デバイス（510）であって、参照信号の前記第１のタイプは、チャネル状態情報参照信号（ＣＳＩ−ＲＳ）であり、参照信号の前記第２のタイプは、同期信号ブロック（ＳＳＢ）であり、参照信号の前記第３のタイプは、サウンディング参照信号（ＳＲＳ）である、無線デバイス。
【請求項２０】
請求項１６に記載の無線デバイス（510）であって、
前記第２のオクテット内の第１のビットが第１の状態に設定されている場合、
前記第１のビットは、前記空間的関係が提供される参照信号の前記タイプの前記インジケーションとして機能し、かつ、前記空間的関係が提供される参照信号の前記タイプは、チャネル状態情報参照信号（ＣＳＩ−ＲＳ）であり、
前記第２のオクテット内の残りのビットは、前記ＣＳＩ−ＲＳについての前記参照信号リソースセットの前記識別子として機能し、
前記第２のオクテット内の前記第１のビットが第２の状態に設定されている場合、
前記第２のオクテット内の第２のビットが前記第１の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、同期信号ブロック（ＳＳＢ）であり、
前記第２のオクテット内の残りのビットは、前記ＳＳＢについての前記参照信号リソースセットの前記識別子として機能し、
前記第２のオクテット内の前記第２のビットが前記第２の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、サウンディング参照信号（ＳＲＳ）であり、
前記第２のオクテット内の前記残りのビットのうちの１つを除いた全ては、前記ＳＲＳについての前記参照信号リソースセットの前記識別子として機能する、無線デバイス。
【請求項２１】
請求項１６に記載の無線デバイス（510）であって、
前記第２のオクテット内の第１のビットは、当該第１のビットが、前記空間的関係が提供される参照信号の前記タイプの前記インジケーションとして機能し、かつ、前記空間的関係が提供される参照信号の前記タイプが、チャネル状態情報参照信号（ＣＳＩ−ＲＳ）となるように、第１の状態に設定され、
前記第２のオクテット内の残りのビットは、前記ＣＳＩ−ＲＳについての前記参照信号リソースセットの前記識別子として機能する、無線デバイス。
【請求項２２】
請求項１６に記載の無線デバイス（510）であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、同期信号ブロック（ＳＳＢ）となるように、第１の状態に設定され、
前記第２のオクテット内の残りのビットは、前記ＳＳＢについての前記参照信号リソースセットの前記識別子として機能する、無線デバイス。
【請求項２３】
請求項１６に記載の無線デバイス（510）であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、サウンディング参照信号（ＳＲＳ）となるように、前記第２の状態に設定され、
前記第２のオクテット内の残りのビットのうちの１つを除いた全ては、前記ＳＲＳについての前記参照信号リソースセットの前記識別子として機能する、無線デバイス。
【請求項２４】
請求項１６に記載の無線デバイス（510）であって、
前記ＭＡＣ ＣＥのオクテットの第１のビットが第１の状態に設定されている場合、当該オクテットの残りのビットは、フィールドの第１のセットを含み、
前記オクテットの前記第１のビットが第２の状態に設定されており、かつ、当該オクテットの第２のビットが前記第１の状態に設定されている場合、当該オクテットの残りのビットは、フィールドの第２のセットを含み、
前記オクテットの前記第１のビットが前記第２の状態に設定されており、かつ、当該オクテットの前記第２のビットが前記第２の状態に設定されている場合、当該オクテットの残りのビットは、フィールドの第３のセットを含む、無線デバイス。
【請求項２５】
請求項２４に記載の無線デバイス（510）であって、フィールドの前記第１のセットは、空間的関係が示されるチャネル状態情報参照信号（ＣＳＩ−ＲＳ）リソースセットの識別子を提供するビットを含むフィールドを含む、無線デバイス。
【請求項２６】
請求項２４又は２５に記載の無線デバイス（510）であって、フィールドの前記第２のセットは、空間的関係が示される同期信号ブロック（ＳＳＢ）リソースセットの識別子を提供するビットを含むフィールドを含む、無線デバイス。
【請求項２７】
請求項２４乃至２６のいずれか１項に記載の無線デバイス（510）であって、フィールドの前記第３のセットは、空間的関係が示されるサウンディング参照信号（ＳＲＳ）リソースセットの識別子を提供するビットを含むフィールドを含む、無線デバイス。
【請求項２８】
請求項１６乃至２７のいずれか１項に記載の無線デバイス（510）であって、前記インジケーションは、前記セミパーシステントサウンディング参照信号リソースセットをアクティブ化するためのインジケーションであり、前記処理回路（520）は前記無線デバイス（510）に更に、前記アクティブ化されたセミパーシステントサウンディング参照信号リソースセット上でサウンディング参照信号を送信させるように構成されている、方法。
【請求項２９】
セルラ通信ネットワークにおけるネットワークノード（560）の動作の方法であって、
メディアアクセス制御（ＭＡＣ）制御エレメント（ＣＥ）を無線デバイス（510）へ送信すること（1400）を含み、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含み、
前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号のタイプのインジケーション、及び、前記空間的関係が提供される参照信号の前記タイプについての参照信号リソースセットの識別子を含む第２のオクテットと、を含む、方法。
【請求項３０】
請求項２９に記載の方法であって、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す、方法。
【請求項３１】
請求項２９に記載の方法であって、参照信号の前記タイプの前記インジケーションは、参照信号の前記タイプを示す２ビットを含み、
前記２ビットの第１の状態は、参照信号の前記タイプが参照信号の第１のタイプであることを示し、
前記２ビットの第２の状態は、参照信号の前記タイプが参照信号の第２のタイプであることを示し、
前記２ビットの第３の状態は、参照信号の前記タイプが参照信号の第３のタイプであることを示す、方法。
【請求項３２】
請求項３１に記載の方法であって、参照信号の前記第１のタイプは、チャネル状態情報参照信号（ＣＳＩ−ＲＳ）であり、参照信号の前記第２のタイプは、同期信号ブロック（ＳＳＢ）であり、参照信号の前記第３のタイプは、サウンディング参照信号（ＳＲＳ）である、方法。
【請求項３３】
請求項２９に記載の方法であって、
前記第２のオクテット内の第１のビットが第１の状態に設定されている場合、
前記第１のビットは、前記空間的関係が提供される参照信号の前記タイプの前記インジケーションとして機能し、かつ、前記空間的関係が提供される参照信号の前記タイプは、チャネル状態情報参照信号（ＣＳＩ−ＲＳ）であり、
前記第２のオクテット内の残りのビットは、前記ＣＳＩ−ＲＳについての前記参照信号リソースセットの前記識別子として機能し、
前記第２のオクテット内の前記第１のビットが第２の状態に設定されている場合、
前記第２のオクテット内の第２のビットが前記第１の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、同期信号ブロック（ＳＳＢ）であり、
前記第２のオクテット内の残りのビットは、前記ＳＳＢについての前記参照信号リソースセットの前記識別子として機能し、
前記第２のオクテット内の前記第２のビットが前記第２の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、サウンディング参照信号（ＳＲＳ）であり、
前記第２のオクテット内の前記残りのビットのうちの１つを除いた全ては、前記ＳＲＳについての前記参照信号リソースセットの前記識別子として機能する、方法。
【請求項３４】
請求項２９に記載の方法であって、
前記第２のオクテット内の第１のビットは、当該第１のビットが、前記空間的関係が提供される参照信号の前記タイプの前記インジケーションとして機能し、かつ、前記空間的関係が提供される参照信号の前記タイプが、チャネル状態情報参照信号（ＣＳＩ−ＲＳ）となるように、第１の状態に設定され、
前記第２のオクテット内の残りのビットは、前記ＣＳＩ−ＲＳについての前記参照信号リソースセットの前記識別子として機能する、方法。
【請求項３５】
請求項２９に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、同期信号ブロック（ＳＳＢ）となるように、第１の状態に設定され、
前記第２のオクテット内の残りのビットは、前記ＳＳＢについての前記参照信号リソースセットの前記識別子として機能する、方法。
【請求項３６】
請求項２９に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、サウンディング参照信号（ＳＲＳ）となるように、前記第２の状態に設定され、
前記第２のオクテット内の残りのビットのうちの１つを除いた全ては、前記ＳＲＳについての前記参照信号リソースセットの前記識別子として機能する、方法。
【請求項３７】
請求項２９に記載の方法であって、
前記ＭＡＣ ＣＥのオクテットの第１のビットが第１の状態に設定されている場合、当該オクテットの残りのビットは、フィールドの第１のセットを含み、
前記オクテットの前記第１のビットが第２の状態に設定されており、かつ、当該オクテットの第２のビットが前記第１の状態に設定されている場合、当該オクテットの残りのビットは、フィールドの第２のセットを含み、
前記オクテットの前記第１のビットが前記第２の状態に設定されており、かつ、当該オクテットの前記第２のビットが前記第２の状態に設定されている場合、当該オクテットの残りのビットは、フィールドの第３のセットを含む、方法。
【請求項３８】
請求項３７に記載の方法であって、フィールドの前記第１のセットは、空間的関係が示されるチャネル状態情報参照信号（ＣＳＩ−ＲＳ）リソースセットの識別子を提供するビットを含むフィールドを含む、方法。
【請求項３９】
請求項３７又は３８に記載の方法であって、フィールドの前記第２のセットは、空間的関係が示される同期信号ブロック（ＳＳＢ）リソースセットの識別子を提供するビットを含むフィールドを含む、方法。
【請求項４０】
請求項３７乃至３９のいずれか１項に記載の方法であって、フィールドの前記第３のセットは、空間的関係が示されるサウンディング参照信号（ＳＲＳ）リソースセットの識別子を提供するビットを含むフィールドを含む、方法。
【請求項４１】
セルラ通信ネットワークのためのネットワークノード（560）であって、前記ネットワークノード（560）は、
メディアアクセス制御（ＭＡＣ）制御エレメント（ＣＥ）を無線デバイス（510）へ送信するように構成されており、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含み、
前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号のタイプのインジケーション、及び、前記空間的関係が提供される参照信号の前記タイプについての参照信号リソースセットの識別子を含む第２のオクテットと、を含む、ネットワークノード。
【請求項４２】
請求項４１に記載のネットワークノード（560）であって、前記ネットワークノード（560）は、請求項３４乃至４０のいずれか１項に記載の方法を実行するように更に構成される、ネットワークノード。
【請求項４３】
セルラ通信ネットワークのためのネットワークノード（560）であって、前記ネットワークノード（560）は、
インタフェース（590）と、
前記インタフェース（590）と関連付けられた処理回路（570）と、を備え、前記処理回路（570）は前記ネットワークノード（560）に、
メディアアクセス制御（ＭＡＣ）制御エレメント（ＣＥ）を無線デバイス（510）へ送信させるように構成されており、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含み、
前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号のタイプのインジケーション、及び、前記空間的関係が提供される参照信号の前記タイプについての参照信号リソースセットの識別子を含む第２のオクテットと、を含む、ネットワークノード。
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
セルラ通信ネットワークにおける無線デバイス（510）の動作の方法であって、
メディアアクセス制御（ＭＡＣ）制御エレメント（ＣＥ）をネットワークノード（560）から受信すること（1402）を含み、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含み、
前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号のタイプのインジケーション、及び、前記空間的関係が提供される参照信号の前記タイプについての参照信号リソースセットの識別子を含む第２のオクテットと、を含む、方法。
【請求項２】
請求項１に記載の方法であって、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す、方法。
【請求項３】
請求項１に記載の方法であって、参照信号の前記タイプの前記インジケーションは、参照信号の前記タイプを示す２ビットを含み、
前記２ビットの第１の状態は、参照信号の前記タイプが参照信号の第１のタイプであることを示し、
前記２ビットの第２の状態は、参照信号の前記タイプが参照信号の第２のタイプであることを示し、
前記２ビットの第３の状態は、参照信号の前記タイプが参照信号の第３のタイプであることを示す、方法。
【請求項４】
請求項３に記載の方法であって、参照信号の前記第１のタイプは、チャネル状態情報参照信号（ＣＳＩ−ＲＳ）であり、参照信号の前記第２のタイプは、同期信号ブロック（ＳＳＢ）であり、参照信号の前記第３のタイプは、サウンディング参照信号（ＳＲＳ）である、方法。
【請求項５】
請求項１に記載の方法であって、
前記第２のオクテット内の第１のビットが第１の状態に設定されている場合、
前記第１のビットは、前記空間的関係が提供される参照信号の前記タイプの前記インジケーションとして機能し、かつ、前記空間的関係が提供される参照信号の前記タイプは、チャネル状態情報参照信号（ＣＳＩ−ＲＳ）であり、
前記第２のオクテット内の残りのビットは、前記ＣＳＩ−ＲＳについての前記参照信号リソースセットの前記識別子として機能し、
前記第２のオクテット内の前記第１のビットが第２の状態に設定されている場合、
前記第２のオクテット内の第２のビットが前記第１の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、同期信号ブロック（ＳＳＢ）であり、
前記第２のオクテット内の残りのビットは、前記ＳＳＢについての前記参照信号リソースセットの前記識別子として機能し、
前記第２のオクテット内の前記第２のビットが前記第２の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、サウンディング参照信号（ＳＲＳ）であり、
前記第２のオクテット内の前記残りのビットのうちの１つを除いた全ては、前記ＳＲＳについての前記参照信号リソースセットの前記識別子として機能する、方法。
【請求項６】
請求項１に記載の方法であって、
前記第２のオクテット内の第１のビットは、当該第１のビットが、前記空間的関係が提供される参照信号の前記タイプの前記インジケーションとして機能し、かつ、前記空間的関係が提供される参照信号の前記タイプが、チャネル状態情報参照信号（ＣＳＩ−ＲＳ）となるように、第１の状態に設定され、
前記第２のオクテット内の残りのビットは、前記ＣＳＩ−ＲＳについての前記参照信号リソースセットの前記識別子として機能する、方法。
【請求項７】
請求項１に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、同期信号ブロック（ＳＳＢ）となるように、第１の状態に設定され、
前記第２のオクテット内の残りのビットは、前記ＳＳＢについての前記参照信号リソースセットの前記識別子として機能する、方法。
【請求項８】
請求項１に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、サウンディング参照信号（ＳＲＳ）となるように、前記第２の状態に設定され、
前記第２のオクテット内の残りのビットのうちの１つを除いた全ては、前記ＳＲＳについての前記参照信号リソースセットの前記識別子として機能する、方法。
【請求項９】
請求項１に記載の方法であって、
前記ＭＡＣ ＣＥのオクテットの第１のビットが第１の状態に設定されている場合、当該オクテットの残りのビットは、フィールドの第１のセットを含み、
前記オクテットの前記第１のビットが第２の状態に設定されており、かつ、当該オクテットの第２のビットが前記第１の状態に設定されている場合、当該オクテットの残りのビットは、フィールドの第２のセットを含み、
前記オクテットの前記第１のビットが前記第２の状態に設定されており、かつ、当該オクテットの前記第２のビットが前記第２の状態に設定されている場合、当該オクテットの残りのビットは、フィールドの第３のセットを含む、方法。
【請求項１０】
請求項９に記載の方法であって、フィールドの前記第１のセットは、空間的関係が示されるチャネル状態情報参照信号（ＣＳＩ−ＲＳ）リソースセットの識別子を提供するビットを含むフィールドを含む、方法。
【請求項１１】
請求項９又は１０に記載の方法であって、フィールドの前記第２のセットは、空間的関係が示される同期信号ブロック（ＳＳＢ）リソースセットの識別子を提供するビットを含むフィールドを含む、方法。
【請求項１２】
請求項９乃至１１のいずれか１項に記載の方法であって、フィールドの前記第３のセットは、空間的関係が示されるサウンディング参照信号（ＳＲＳ）リソースセットの識別子を提供するビットを含むフィールドを含む、方法。
【請求項１３】
請求項１乃至１２のいずれか１項に記載の方法であって、前記インジケーションは、前記セミパーシステントサウンディング参照信号リソースセットをアクティブ化するためのインジケーションであり、前記方法は更に、前記アクティブ化されたセミパーシステントサウンディング参照信号リソースセット上でサウンディング参照信号を送信すること（1404）を含む、方法。
【請求項１４】
セルラ通信ネットワークのための無線デバイス（510）であって、前記無線デバイス（510）は、
無線フロントエンド回路（512）を含むインタフェース（514）と、
前記インタフェース（514）と関連付けられた処理回路（520）と、を備え、前記処理回路（520）は前記無線デバイス（510）に、
メディアアクセス制御（ＭＡＣ）制御エレメント（ＣＥ）をネットワークノード（560）から受信させるように構成されており、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含み、
前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号のタイプのインジケーション、及び、前記空間的関係が提供される参照信号の前記タイプについての参照信号リソースセットの識別子を含む第２のオクテットと、を含む、無線デバイス。
【請求項１５】
請求項１４に記載の無線デバイス（510）であって、前記無線デバイス（510）は、請求項２乃至１３のいずれか１項に記載の方法を実行するように更に構成される、無線デバイス。
【請求項１６】
セルラ通信ネットワークにおけるネットワークノード（560）の動作の方法であって、
メディアアクセス制御（ＭＡＣ）制御エレメント（ＣＥ）を無線デバイス（510）へ送信すること（1400）を含み、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含み、
前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号のタイプのインジケーション、及び、前記空間的関係が提供される参照信号の前記タイプについての参照信号リソースセットの識別子を含む第２のオクテットと、を含む、方法。
【請求項１７】
請求項１６に記載の方法であって、参照信号の前記タイプの前記インジケーションは、参照信号の前記タイプが、チャネル状態情報参照信号（ＣＳＩ−ＲＳ）、同期信号ブロック（ＳＳＢ）、又はサウンディング参照信号（ＳＲＳ）であることを示す、方法。
【請求項１８】
請求項１６に記載の方法であって、参照信号の前記タイプの前記インジケーションは、参照信号の前記タイプを示す２ビットを含み、
前記２ビットの第１の状態は、参照信号の前記タイプが参照信号の第１のタイプであることを示し、
前記２ビットの第２の状態は、参照信号の前記タイプが参照信号の第２のタイプであることを示し、
前記２ビットの第３の状態は、参照信号の前記タイプが参照信号の第３のタイプであることを示す、方法。
【請求項１９】
請求項１８に記載の方法であって、参照信号の前記第１のタイプは、チャネル状態情報参照信号（ＣＳＩ−ＲＳ）であり、参照信号の前記第２のタイプは、同期信号ブロック（ＳＳＢ）であり、参照信号の前記第３のタイプは、サウンディング参照信号（ＳＲＳ）である、方法。
【請求項２０】
請求項１６に記載の方法であって、
前記第２のオクテット内の第１のビットが第１の状態に設定されている場合、
前記第１のビットは、前記空間的関係が提供される参照信号の前記タイプの前記インジケーションとして機能し、かつ、前記空間的関係が提供される参照信号の前記タイプは、チャネル状態情報参照信号（ＣＳＩ−ＲＳ）であり、
前記第２のオクテット内の残りのビットは、前記ＣＳＩ−ＲＳについての前記参照信号リソースセットの前記識別子として機能し、
前記第２のオクテット内の前記第１のビットが第２の状態に設定されている場合、
前記第２のオクテット内の第２のビットが前記第１の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、同期信号ブロック（ＳＳＢ）であり、
前記第２のオクテット内の残りのビットは、前記ＳＳＢについての前記参照信号リソースセットの前記識別子として機能し、
前記第２のオクテット内の前記第２のビットが前記第２の状態に設定されているときは、
前記第１のビット及び前記第２のビットは、前記空間的関係が提供される参照信号の前記タイプの前記インジケーションとして機能し、かつ、前記空間的関係が提供される参照信号の前記タイプは、サウンディング参照信号（ＳＲＳ）であり、
前記第２のオクテット内の前記残りのビットのうちの１つを除いた全ては、前記ＳＲＳについての前記参照信号リソースセットの前記識別子として機能する、方法。
【請求項２１】
請求項１６に記載の方法であって、
前記第２のオクテット内の第１のビットは、当該第１のビットが、前記空間的関係が提供される参照信号の前記タイプの前記インジケーションとして機能し、かつ、前記空間的関係が提供される参照信号の前記タイプが、チャネル状態情報参照信号（ＣＳＩ−ＲＳ）となるように、第１の状態に設定され、
前記第２のオクテット内の残りのビットは、前記ＣＳＩ−ＲＳについての前記参照信号リソースセットの前記識別子として機能する、方法。
【請求項２２】
請求項１６に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、同期信号ブロック（ＳＳＢ）となるように、第１の状態に設定され、
前記第２のオクテット内の残りのビットは、前記ＳＳＢについての前記参照信号リソースセットの前記識別子として機能する、方法。
【請求項２３】
請求項１６に記載の方法であって、
前記第２のオクテット内の第１のビットが第２の状態に設定されている場合、
前記第２のオクテット内の第２のビットは、前記第１のビット及び当該第２のビットが、前記空間的関係が提供される参照信号の前記タイプの前記インジケーションとして機能し、かつ、前記空間的関係が提供される参照信号の前記タイプが、サウンディング参照信号（ＳＲＳ）となるように、前記第２の状態に設定され、
前記第２のオクテット内の残りのビットのうちの１つを除いた全ては、前記ＳＲＳについての前記参照信号リソースセットの前記識別子として機能する、方法。
【請求項２４】
請求項１６に記載の方法であって、
前記ＭＡＣ ＣＥのオクテットの第１のビットが第１の状態に設定されている場合、当該オクテットの残りのビットは、フィールドの第１のセットを含み、
前記オクテットの前記第１のビットが第２の状態に設定されており、かつ、当該オクテットの第２のビットが前記第１の状態に設定されている場合、当該オクテットの残りのビットは、フィールドの第２のセットを含み、
前記オクテットの前記第１のビットが前記第２の状態に設定されており、かつ、当該オクテットの前記第２のビットが前記第２の状態に設定されている場合、当該オクテットの残りのビットは、フィールドの第３のセットを含む、方法。
【請求項２５】
請求項２４に記載の方法であって、フィールドの前記第１のセットは、空間的関係が示されるチャネル状態情報参照信号（ＣＳＩ−ＲＳ）リソースセットの識別子を提供するビットを含むフィールドを含む、方法。
【請求項２６】
請求項２４又は２５に記載の方法であって、フィールドの前記第２のセットは、空間的関係が示される同期信号ブロック（ＳＳＢ）リソースセットの識別子を提供するビットを含むフィールドを含む、方法。
【請求項２７】
請求項２４乃至２６のいずれか１項に記載の方法であって、フィールドの前記第３のセットは、空間的関係が示されるサウンディング参照信号（ＳＲＳ）リソースセットの識別子を提供するビットを含むフィールドを含む、方法。
【請求項２８】
セルラ通信ネットワークのためのネットワークノード（560）であって、前記ネットワークノード（560）は、
インタフェース（590）と、
前記インタフェース（590）と関連付けられた処理回路（570）と、を備え、前記処理回路（570）は前記ネットワークノード（560）に、
メディアアクセス制御（ＭＡＣ）制御エレメント（ＣＥ）を無線デバイス（510）へ送信させるように構成されており、当該ＭＡＣ ＣＥは、
アクティブ化又は非アクティブ化されるセミパーシステントサウンディング参照信号リソースセットのインジケーションと、
アクティブ化又は非アクティブ化される前記セミパーシステントサウンディング参照信号リソースセットについての空間的関係を示す情報と、を含み、
前記ＭＡＣ ＣＥは、
アクティブ化又は非アクティブ化される前記セミパーシステントサウンディング参照信号リソースセットの前記インジケーションを含む第１のオクテットと、
前記空間的関係が提供される参照信号のタイプのインジケーション、及び、前記空間的関係が提供される参照信号の前記タイプについての参照信号リソースセットの識別子を含む第２のオクテットと、を含む、ネットワークノード。
【請求項２９】
請求項２８に記載のネットワークノード（560）であって、前記ネットワークノード（560）は、請求項１７乃至２７のいずれか１項に記載の方法を実行するように更に構成される、ネットワークノード。
【国際調査報告】
2021521660.tif 000025
2021521660.tif 000026